(57)【特許請求の範囲】
【請求項１】
送信機に備えた１つの送信アンテナから送信されたＯＦＤＭ変調波の送信信号を、複数の受信アンテナを用いて受信し、前記複数の受信アンテナの受信系統毎に受信処理を行い、受信系統毎の信号を合成するダイバーシティ受信装置において、
前記受信アンテナを用いて受信した受信信号から、所定の周波数帯域の信号を抽出するフィルタと、
前記フィルタにより抽出された信号をＡＧＣ（Automatic Gain Control）機能により増幅すると共に周波数変換し、所定レベルのＩＦ信号を生成する受信部と、
前記受信部により生成された所定レベルのＩＦ信号をＯＦＤＭ復調し、ＦＦＴした復調信号を生成すると共に、前記復調信号に基づいて雑音電力値を算出するＯＦＤＭ復調部と、
前記ＯＦＤＭ復調部により算出された受信系統毎の雑音電力値に基づいて、受信系統毎の重み係数を生成する重み係数生成部と、
前記ＯＦＤＭ復調部により生成された復調信号に、前記重み係数生成部により生成された重み係数を受信系統毎に乗算する乗算器と、
前記乗算器により乗算された受信系統毎の復調信号を合成する信号合成部と、
を備え、
前記ＯＦＤＭ復調部は、
前記復調信号からＳＰ信号を抽出するＳＰ抽出部と、
前記ＳＰ抽出部により抽出されたＳＰ信号から雑音成分を抽出するフィルタと、
前記フィルタにより抽出された雑音成分から雑音電力値を算出する電力算出部と、
を備えたことを特徴とするダイバーシティ受信装置。
【請求項２】
請求項１に記載のダイバーシティ受信装置において、
前記ＯＦＤＭ復調部は、さらに、前記ＳＰ抽出部により抽出されたＳＰ信号を、シンボル方向に補間するシンボルフィルタを備え、
前記ＯＦＤＭ復調部のフィルタは、前記シンボルフィルタにより補間されたＳＰ信号から雑音成分を抽出する、ことを特徴とするダイバーシティ受信装置。
【請求項３】
送信機に備えた１つの送信アンテナから送信されたＯＦＤＭ変調波の送信信号を、複数の受信アンテナを用いて受信し、前記複数の受信アンテナの受信系統毎に受信処理を行い、受信系統毎の信号を合成するダイバーシティ受信装置において、
前記受信アンテナを用いて受信した受信信号から、所定の周波数帯域の信号を抽出するフィルタと、
前記フィルタにより抽出された信号をＡＧＣ（Automatic Gain Control）機能により増幅すると共に周波数変換し、所定レベルのＩＦ信号を生成する受信部と、
前記受信部により生成された所定レベルのＩＦ信号をＯＦＤＭ復調し、ＦＦＴした復調信号を生成すると共に、前記復調信号に基づいて雑音電力値を算出するＯＦＤＭ復調部と、
前記ＯＦＤＭ復調部により算出された受信系統毎の雑音電力値に基づいて、受信系統毎の重み係数を生成する重み係数生成部と、
前記ＯＦＤＭ復調部により生成された復調信号に、前記重み係数生成部により生成された重み係数を受信系統毎に乗算する乗算器と、
前記乗算器により乗算された受信系統毎の復調信号を合成する信号合成部と、
を備え、
前記ＯＦＤＭ復調部は、
前記復調信号からＳＰ信号を抽出するＳＰ抽出部と、
前記ＳＰ抽出部により抽出されたＳＰ信号から主信号成分を抽出するフィルタと、
前記ＳＰ抽出部により抽出されたＳＰ信号から、前記フィルタにより抽出された主信号成分を減算し、雑音成分を抽出する減算器と、
前記減算器により抽出された雑音成分から雑音電力値を算出する電力算出部と、
を備えたことを特徴とするダイバーシティ受信装置。
【請求項４】
請求項３に記載のダイバーシティ受信装置において、
前記ＯＦＤＭ復調部は、さらに、前記ＳＰ抽出部により抽出されたＳＰ信号を、シンボル方向に補間するシンボルフィルタを備え、
前記ＯＦＤＭ復調部のフィルタは、前記シンボルフィルタにより補間されたＳＰ信号から主信号成分を抽出し、
前記ＯＦＤＭ復調部の減算器は、前記シンボルフィルタにより補間されたＳＰ信号から、前記フィルタにより抽出された主信号成分を減算し、雑音成分を抽出する、ことを特徴とするダイバーシティ受信装置。
【請求項５】
送信機に備えた１つの送信アンテナから送信されたＯＦＤＭ変調波の送信信号を、複数の受信アンテナを用いて受信し、前記複数の受信アンテナの受信系統毎に受信処理を行い、受信系統毎の信号を合成するダイバーシティ受信装置において、
前記受信アンテナを用いて受信した受信信号から、所定の周波数帯域の信号を抽出するフィルタと、
前記フィルタにより抽出された信号をＡＧＣ（Automatic Gain Control）機能により増幅すると共に周波数変換し、所定レベルのＩＦ信号を生成する受信部と、
前記受信部により生成された所定レベルのＩＦ信号をＯＦＤＭ復調し、ＦＦＴした復調信号を生成すると共に、前記復調信号に基づいて雑音電力値を算出するＯＦＤＭ復調部と、
前記ＯＦＤＭ復調部により算出された受信系統毎の雑音電力値に基づいて、受信系統毎の重み係数を生成する重み係数生成部と、
前記ＯＦＤＭ復調部により生成された復調信号に、前記重み係数生成部により生成された重み係数を受信系統毎に乗算する乗算器と、
前記乗算器により乗算された受信系統毎の復調信号を合成する信号合成部と、
を備え、
前記ＯＦＤＭ復調部は、
前記復調信号からＳＰ信号を抽出するＳＰ抽出部と、
前記ＳＰ抽出部により抽出されたＳＰ信号にＩＦＦＴ処理を施し、遅延プロファイルを生成するＩＦＦＴ部と、
前記ＩＦＦＴ部により生成された遅延プロファイルから雑音成分を抽出するフィルタと、
前記フィルタにより抽出された雑音成分から雑音電力値を算出する電力算出部と、
を備えたことを特徴とするダイバーシティ受信装置。
【請求項６】
送信機に備えた複数の送信アンテナから送信されたＯＦＤＭ変調波の送信信号を、複数の受信アンテナを用いて受信し、前記複数の受信アンテナの受信系統毎に受信処理を行い、受信系統毎の信号を合成するダイバーシティ受信装置において、
前記受信アンテナを用いて受信した受信信号から、所定の周波数帯域の信号を抽出するフィルタと、
前記フィルタにより抽出された信号をＡＧＣ（Automatic Gain Control）機能により増幅すると共に周波数変換し、所定レベルのＩＦ信号を生成する受信部と、
前記受信部により生成された所定レベルのＩＦ信号をＯＦＤＭ復調し、ＦＦＴした復調信号を生成すると共に、前記復調信号に基づいて雑音電力値を算出するＯＦＤＭ復調部と、
前記ＯＦＤＭ復調部により算出された受信系統毎の雑音電力値に基づいて、受信系統毎の重み係数を生成する重み係数生成部と、
前記ＯＦＤＭ復調部により生成された復調信号に、前記重み係数生成部により生成された重み係数を受信系統毎に乗算する乗算器と、
前記乗算器により乗算された受信系統毎の復調信号を合成する信号合成部と、
を備え、
前記ＯＦＤＭ復調部は、前記複数の送信アンテナの送信系統毎に、
前記復調信号から当該送信系統の送信信号に含まれるＳＰ信号を抽出するＳＰ抽出部と、
前記ＳＰ抽出部により抽出されたＳＰ信号から雑音成分を抽出するフィルタと、
前記フィルタにより抽出された雑音成分から雑音電力値を算出する電力算出部と、を備え、
さらに、前記電力算出部により算出された送信系統毎の雑音電力値を加算し、前記加算結果を前記受信系統の雑音電力値とする加算器を備えたことを特徴とするダイバーシティ受信装置。
【請求項７】
請求項６に記載のダイバーシティ受信装置において、
前記ＯＦＤＭ復調部は、さらに、前記送信系統毎に、前記ＳＰ抽出部により抽出されたＳＰ信号を、シンボル方向に補間するシンボルフィルタを備え、
前記ＯＦＤＭ復調部のフィルタは、前記シンボルフィルタにより補間されたＳＰ信号から雑音成分を抽出する、ことを特徴とするダイバーシティ受信装置。
【請求項８】
送信機に備えた複数の送信アンテナから送信されたＯＦＤＭ変調波の送信信号を、複数の受信アンテナを用いて受信し、前記複数の受信アンテナの受信系統毎に受信処理を行い、受信系統毎の信号を合成するダイバーシティ受信装置において、
前記受信アンテナを用いて受信した受信信号から、所定の周波数帯域の信号を抽出するフィルタと、
前記フィルタにより抽出された信号をＡＧＣ（Automatic Gain Control）機能により増幅すると共に周波数変換し、所定レベルのＩＦ信号を生成する受信部と、
前記受信部により生成された所定レベルのＩＦ信号をＯＦＤＭ復調し、ＦＦＴした復調信号を生成すると共に、前記復調信号に基づいて雑音電力値を算出するＯＦＤＭ復調部と、
前記ＯＦＤＭ復調部により算出された受信系統毎の雑音電力値に基づいて、受信系統毎の重み係数を生成する重み係数生成部と、
前記ＯＦＤＭ復調部により生成された復調信号に、前記重み係数生成部により生成された重み係数を受信系統毎に乗算する乗算器と、
前記乗算器により乗算された受信系統毎の復調信号を合成する信号合成部と、
を備え、
前記ＯＦＤＭ復調部は、前記複数の送信アンテナの送信系統毎に、
前記復調信号から当該送信系統の送信信号に含まれるＳＰ信号を抽出するＳＰ抽出部と、
前記ＳＰ抽出部により抽出されたＳＰ信号から主信号成分を抽出するフィルタと、
前記ＳＰ抽出部により抽出されたＳＰ信号から、前記フィルタにより抽出された主信号成分を減算し、雑音成分を抽出する減算器と、
前記減算器により抽出された雑音成分から雑音電力値を算出する電力算出部と、を備え、
さらに、前記電力算出部により算出された送信系統毎の雑音電力値を加算し、前記加算結果を前記受信系統の雑音電力値とする加算器を備えたことを特徴とするダイバーシティ受信装置。
【請求項９】
請求項８に記載のダイバーシティ受信装置において、
前記ＯＦＤＭ復調部は、さらに、前記送信系統毎に、前記ＳＰ抽出部により抽出されたＳＰ信号を、シンボル方向に補間するシンボルフィルタを備え、
前記ＯＦＤＭ復調部のフィルタは、前記シンボルフィルタにより補間されたＳＰ信号から主信号成分を抽出し、
前記ＯＦＤＭ復調部の減算器は、前記シンボルフィルタにより補間されたＳＰ信号から、前記フィルタにより抽出された主信号成分を減算し、雑音成分を抽出する、ことを特徴とするダイバーシティ受信装置。
【請求項１０】
送信機に備えた複数の送信アンテナから送信されたＯＦＤＭ変調波の送信信号を、複数の受信アンテナを用いて受信し、前記複数の受信アンテナの受信系統毎に受信処理を行い、受信系統毎の信号を合成するダイバーシティ受信装置において、
前記受信アンテナを用いて受信した受信信号から、所定の周波数帯域の信号を抽出するフィルタと、
前記フィルタにより抽出された信号をＡＧＣ（Automatic Gain Control）機能により増幅すると共に周波数変換し、所定レベルのＩＦ信号を生成する受信部と、
前記受信部により生成された所定レベルのＩＦ信号をＯＦＤＭ復調し、ＦＦＴした復調信号を生成すると共に、前記復調信号に基づいて雑音電力値を算出するＯＦＤＭ復調部と、
前記ＯＦＤＭ復調部により算出された受信系統毎の雑音電力値に基づいて、受信系統毎の重み係数を生成する重み係数生成部と、
前記ＯＦＤＭ復調部により生成された復調信号に、前記重み係数生成部により生成された重み係数を受信系統毎に乗算する乗算器と、
前記乗算器により乗算された受信系統毎の復調信号を合成する信号合成部と、
を備え、
前記ＯＦＤＭ復調部は、前記複数の送信アンテナの送信系統毎に、
前記復調信号から当該送信系統の送信信号に含まれるＳＰ信号を抽出するＳＰ抽出部と、
前記ＳＰ抽出部により抽出されたＳＰ信号にＩＦＦＴ処理を施し、遅延プロファイルを生成するＩＦＦＴ部と、
前記ＩＦＦＴ部により生成された遅延プロファイルから雑音成分を抽出するフィルタと、
前記フィルタにより抽出された雑音成分から雑音電力値を算出する電力算出部と、を備え、
さらに、前記電力算出部により算出された送信系統毎の雑音電力値を加算し、前記加算結果を前記受信系統の雑音電力値とする加算器を備えたことを特徴とするダイバーシティ受信装置。
【発明の詳細な説明】
【技術分野】
【０００１】
本発明は、ＯＦＤＭ（Orthogonal Frequency Division Multiplexing：直交周波数分割多重）変調波を複数の受信アンテナで受信する装置に係り、特に、各受信アンテナの受信信号レベルを推定し、良質な受信信号を生成するダイバーシティ受信装置に関する。
【背景技術】
【０００２】
従来、フェージングまたはマルチパスが発生する伝送路では、受信信号レベルが受信機の熱雑音レベルまで減衰し、伝送信号の品質を劣化させることが知られている。これらの影響を軽減する技術として、複数のアンテナで受信した受信波を利用するダイバーシティ受信装置がある。ダイバーシティ受信装置は、複数の受信アンテナを空間的に離して配置する等し、各受信アンテナで得られた独立または相関の低い複数の受信信号を選択または合成するものである。ダイバーシティ受信装置の基本的な受信手法として、選択合成法、等利得合成法、最大比合成法の３つが知られている。最大比合成法は、受信信号レベルに応じて重み付けをし、重み付けに応じて受信信号を合成する手法であり、合成後の信号のＣＮＲ（Carrier to Ｎoise Ratio：キャリア対熱雑音電力比）が最大となることから、利用されることが多い（例えば、特許文献１を参照）。
【０００３】
一般に、ダイバーシティ受信装置の受信部には、受信信号を一定レベルで出力するために、ＡＧＣ（Automatic Gain Control：自動利得制御）機能が備えられている。図１６は、ダイバーシティ受信装置に備えた受信部の一般的な構成を示すブロック図である。ダイバーシティ受信装置の受信部には様々な構成があるが、図１６に示す受信部１０４は、ＲＦ（Radio Frequency：無線周波数）増幅器１１０、レベル検出器１１１、局部発振器１１２、ミキサ１１３、ＢＰＦ（Band Pass Filter：バンドパスフィルタ）１１４及びＩＦ（Intermediate Frequency：中間周波数）増幅器１１５を備えている。
【０００４】
ＲＦ増幅器１１０は、図示しない受信アンテナで受信したＲＦ信号を入力すると共に、レベル検出器１１１から利得制御信号を入力し、利得制御信号に基づいて、ＲＦ信号の信号レベルを増幅する。ＲＦ増幅器１１０により信号レベルが増幅されたＲＦ信号は分配され、レベル検出器１１１及びミキサ１１３へ出力される。レベル検出器１１１は、ＲＦ増幅器１１０から信号レベルが増幅されたＲＦ信号を入力し、入力したＲＦ信号のレベルが規定レベルになるように利得制御信号を生成する。このように、ＲＦ増幅器１１０及びレベル検出器１１１のＡＧＣ機能により規定レベルとなったＲＦ信号は、ミキサ１１３へ出力される。
【０００５】
局部発振器１１２は、所定の局部発振信号を生成する。ミキサ１１３は、ＲＦ増幅器１１０から信号レベルが増幅されて規定レベルとなったＲＦ信号を入力すると共に、局部発振器１１２から局部発振信号を入力し、入力したＲＦ信号に局部発振信号を乗算し、ＲＦ信号をＩＦ信号に周波数変換する。ＢＰＦ１１４は、ミキサ１１３からＩＦ信号を入力し、入力したＩＦ信号にフィルタ処理を施し、所望のＩＦ信号以外の不要な信号（イメージ）を除去する。ＩＦ増幅器１１５は、ＢＰＦ１１４からＩＦ信号を入力し、入力したＩＦ信号を規定レベルに増幅し出力する。
【０００６】
このように、図１６に示した受信部１０４によれば、常に規定レベルのＩＦ信号を生成することができる。そして、受信部１０４により生成された規定レベルのＩＦ信号は、後述する後段のＯＦＤＭ復調部１０５へ出力される。
【０００７】
ところで、受信信号の品質を改善することを目的に使用され最大比合成法を実現するダイバーシティ受信装置では、複数の受信信号を最大比合成するために、各受信アンテナで受信した信号のレベルに比例した重み係数を生成する必要がある。この重み係数を生成する際に、各受信アンテナにおける受信信号レベルの正確な情報が必要となる。
【０００８】
図１７は、従来のダイバーシティ受信装置の構成を示すブロック図である。このダイバーシティ受信装置１０１は、送信信号の数が１（送信系統の数が１）及び受信信号の数が４（受信系統の数が４）のＳＩＭＯ（Single Input Multi Output：単入力多出力）伝送による最大比合成法を実現する装置であり、受信アンテナ１０２、ＢＰＦ１０３、受信部１０４、ＯＦＤＭ復調部１０５及び信号合成部１０８を備えている。受信アンテナ１０２、ＢＰＦ１０３、受信部１０４及びＯＦＤＭ復調部１０５は、それぞれ４系統からなる。
【０００９】
ＢＰＦ１０３は、同系統の受信アンテナ１０２で受信した受信信号をそれぞれ入力し、所定の周波数帯域の受信信号のみを抽出する。受信部１０４は、同系統のＢＰＦ１０３から受信信号をそれぞれ入力し、図１６に示したように、受信信号を周波数変換し、各系統において同じ規定レベルのＩＦ信号を生成する。ここで、受信部１０４は、図１６に示したＲＦ増幅器１１０及びレベル検出器１１１のＡＧＣ機能により増幅された信号の増幅度情報（受信信号レベルまたは増幅度合いの情報）を、信号合成部１０８に出力する。
【００１０】
ＯＦＤＭ復調部１０５は、同系統の受信部１０４から規定レベルのＩＦ信号を入力し、入力したＩＦ信号にＯＦＤＭ復調を施し、復調信号を生成する。信号合成部１０８は、ＯＦＤＭ復調部１０５から各系統の復調信号を入力すると共に、受信部１０４から各系統の増幅度情報を入力し、各系統の増幅度情報に基づいて、各系統の復調信号の重み付けを行って合成信号を生成し、生成した合成信号を出力する。信号合成部１０８により出力される合成信号Ｓは、送信機からの送信信号Ｓに相当する。
【先行技術文献】
【特許文献】
【００１１】
【特許文献１】特開２００４−３１２３３３号公報
【発明の概要】
【発明が解決しようとする課題】
【００１２】
しかしながら、図１７に示したダイバーシティ受信装置１０１の受信部１０４は、図１６に示したとおり、後段のＯＦＤＭ復調部１０５に入力するＩＦ信号のレベルを常に一定にすることを目的に、ＡＧＣ機能を備えている。受信アンテナで受信した際には系統間で信号のレベル差があったにも関わらず、このＡＧＣ機能によって、ＯＦＤＭ復調部１０５が入力するＩＦ信号のレベル差は０になる。このため、信号合成部１０８が信号の重み付けをして合成信号を生成するためには、受信部１０４は、ＲＦ増幅器１１０及びレベル検出器１１１における増幅度情報を別系統（別配線）で信号合成部１０８へ出力する必要があり、ダイバーシティ受信装置１０１の回路が複雑化するという問題があった。特に、ＢＰＦ１０３及び受信部１０４を含む受信処理部と、ＯＦＤＭ復調部１０５及び信号合成部１０８を含む復調処理部とが別々の装置で構成される場合には、これらの装置間で配線が必要になり、コストが高くなるという問題があった。
【００１３】
本発明は上記の点に鑑みてなされたものであり、その目的は、増幅度情報を入出力する配線を不要にし、良質な受信信号を生成することが可能なダイバーシティ受信装置を提供することにある。
【課題を解決するための手段】
【００１５】
前記目的を達成するために、本発明による請求項１に記載のダイバーシティ受信装置は、送信機に備えた１つの送信アンテナから送信されたＯＦＤＭ変調波の送信信号を、複数の受信アンテナを用いて受信し、前記複数の受信アンテナの受信系統毎に受信処理を行い、受信系統毎の信号を合成するダイバーシティ受信装置において、前記受信アンテナを用いて受信した受信信号から、所定の周波数帯域の信号を抽出するフィルタと、前記フィルタにより抽出された信号をＡＧＣ（Automatic Gain Control）機能により増幅すると共に周波数変換し、所定レベルのＩＦ信号を生成する受信部と、前記受信部により生成された所定レベルのＩＦ信号をＯＦＤＭ復調し、ＦＦＴした復調信号を生成すると共に、前記復調信号に基づいて雑音電力値を算出するＯＦＤＭ復調部と、前記ＯＦＤＭ復調部により算出された受信系統毎の雑音電力値に基づいて、受信系統毎の重み係数を生成する重み係数生成部と、前記ＯＦＤＭ復調部により生成された復調信号に、前記重み係数生成部により生成された重み係数を受信系統毎に乗算する乗算器と、前記乗算器により乗算された受信系統毎の復調信号を合成する信号合成部と、を備え、前記ＯＦＤＭ復調部が、前記復調信号からＳＰ信号を抽出するＳＰ抽出部と、前記ＳＰ抽出部により抽出されたＳＰ信号から雑音成分を抽出するフィルタと、前記フィルタにより抽出された雑音成分から雑音電力値を算出する電力算出部と、を備えたことを特徴とする。
【００１６】
また、本発明による請求項２に記載のダイバーシティ受信装置は、請求項１に記載のダイバーシティ受信装置において、前記ＯＦＤＭ復調部が、さらに、前記ＳＰ抽出部により抽出されたＳＰ信号を、シンボル方向に補間するシンボルフィルタを備え、前記ＯＦＤＭ復調部のフィルタが、前記シンボルフィルタにより補間されたＳＰ信号から雑音成分を抽出する、ことを特徴とする。
【００１７】
また、本発明による請求項３に記載のダイバーシティ受信装置は、送信機に備えた１つの送信アンテナから送信されたＯＦＤＭ変調波の送信信号を、複数の受信アンテナを用いて受信し、前記複数の受信アンテナの受信系統毎に受信処理を行い、受信系統毎の信号を合成するダイバーシティ受信装置において、前記受信アンテナを用いて受信した受信信号から、所定の周波数帯域の信号を抽出するフィルタと、前記フィルタにより抽出された信号をＡＧＣ（Automatic Gain Control）機能により増幅すると共に周波数変換し、所定レベルのＩＦ信号を生成する受信部と、前記受信部により生成された所定レベルのＩＦ信号をＯＦＤＭ復調し、ＦＦＴした復調信号を生成すると共に、前記復調信号に基づいて雑音電力値を算出するＯＦＤＭ復調部と、前記ＯＦＤＭ復調部により算出された受信系統毎の雑音電力値に基づいて、受信系統毎の重み係数を生成する重み係数生成部と、前記ＯＦＤＭ復調部により生成された復調信号に、前記重み係数生成部により生成された重み係数を受信系統毎に乗算する乗算器と、前記乗算器により乗算された受信系統毎の復調信号を合成する信号合成部と、を備え、前記ＯＦＤＭ復調部が、前記復調信号からＳＰ信号を抽出するＳＰ抽出部と、前記ＳＰ抽出部により抽出されたＳＰ信号から主信号成分を抽出するフィルタと、前記ＳＰ抽出部により抽出されたＳＰ信号から、前記フィルタにより抽出された主信号成分を減算し、雑音成分を抽出する減算器と、前記減算器により抽出された雑音成分から雑音電力値を算出する電力算出部と、を備えたことを特徴とする。
【００１８】
また、本発明による請求項４に記載のダイバーシティ受信装置は、請求項３に記載のダイバーシティ受信装置において、前記ＯＦＤＭ復調部が、さらに、前記ＳＰ抽出部により抽出されたＳＰ信号を、シンボル方向に補間するシンボルフィルタを備え、前記ＯＦＤＭ復調部のフィルタが、前記シンボルフィルタにより補間されたＳＰ信号から主信号成分を抽出し、前記ＯＦＤＭ復調部の減算器が、前記シンボルフィルタにより補間されたＳＰ信号から、前記フィルタにより抽出された主信号成分を減算し、雑音成分を抽出する、ことを特徴とする。
【００１９】
また、本発明による請求項５に記載のダイバーシティ受信装置は、送信機に備えた１つの送信アンテナから送信されたＯＦＤＭ変調波の送信信号を、複数の受信アンテナを用いて受信し、前記複数の受信アンテナの受信系統毎に受信処理を行い、受信系統毎の信号を合成するダイバーシティ受信装置において、前記受信アンテナを用いて受信した受信信号から、所定の周波数帯域の信号を抽出するフィルタと、前記フィルタにより抽出された信号をＡＧＣ（Automatic Gain Control）機能により増幅すると共に周波数変換し、所定レベルのＩＦ信号を生成する受信部と、前記受信部により生成された所定レベルのＩＦ信号をＯＦＤＭ復調し、ＦＦＴした復調信号を生成すると共に、前記復調信号に基づいて雑音電力値を算出するＯＦＤＭ復調部と、前記ＯＦＤＭ復調部により算出された受信系統毎の雑音電力値に基づいて、受信系統毎の重み係数を生成する重み係数生成部と、前記ＯＦＤＭ復調部により生成された復調信号に、前記重み係数生成部により生成された重み係数を受信系統毎に乗算する乗算器と、前記乗算器により乗算された受信系統毎の復調信号を合成する信号合成部と、を備え、前記ＯＦＤＭ復調部が、前記復調信号からＳＰ信号を抽出するＳＰ抽出部と、前記ＳＰ抽出部により抽出されたＳＰ信号にＩＦＦＴ処理を施し、遅延プロファイルを生成するＩＦＦＴ部と、前記ＩＦＦＴ部により生成された遅延プロファイルから雑音成分を抽出するフィルタと、前記フィルタにより抽出された雑音成分から雑音電力値を算出する電力算出部と、を備えたことを特徴とする。
【００２０】
また、本発明による請求項６に記載のダイバーシティ受信装置は、送信機に備えた複数の送信アンテナから送信されたＯＦＤＭ変調波の送信信号を、複数の受信アンテナを用いて受信し、前記複数の受信アンテナの受信系統毎に受信処理を行い、受信系統毎の信号を合成するダイバーシティ受信装置において、前記受信アンテナを用いて受信した受信信号から、所定の周波数帯域の信号を抽出するフィルタと、前記フィルタにより抽出された信号をＡＧＣ（Automatic Gain Control）機能により増幅すると共に周波数変換し、所定レベルのＩＦ信号を生成する受信部と、前記受信部により生成された所定レベルのＩＦ信号をＯＦＤＭ復調し、ＦＦＴした復調信号を生成すると共に、前記復調信号に基づいて雑音電力値を算出するＯＦＤＭ復調部と、前記ＯＦＤＭ復調部により算出された受信系統毎の雑音電力値に基づいて、受信系統毎の重み係数を生成する重み係数生成部と、前記ＯＦＤＭ復調部により生成された復調信号に、前記重み係数生成部により生成された重み係数を受信系統毎に乗算する乗算器と、前記乗算器により乗算された受信系統毎の復調信号を合成する信号合成部と、を備え、前記ＯＦＤＭ復調部が、前記複数の送信アンテナの送信系統毎に、前記復調信号から当該送信系統の送信信号に含まれるＳＰ信号を抽出するＳＰ抽出部と、前記ＳＰ抽出部により抽出されたＳＰ信号から雑音成分を抽出するフィルタと、前記フィルタにより抽出された雑音成分から雑音電力値を算出する電力算出部と、を備え、さらに、前記電力算出部により算出された送信系統毎の雑音電力値を加算し、前記加算結果を前記受信系統の雑音電力値とする加算器を備えたことを特徴とする。
【００２１】
また、本発明による請求項７に記載のダイバーシティ受信装置は、請求項６に記載のダイバーシティ受信装置において、前記ＯＦＤＭ復調部が、さらに、前記送信系統毎に、前記ＳＰ抽出部により抽出されたＳＰ信号を、シンボル方向に補間するシンボルフィルタを備え、前記ＯＦＤＭ復調部のフィルタが、前記シンボルフィルタにより補間されたＳＰ信号から雑音成分を抽出する、ことを特徴とする。
【００２２】
また、本発明による請求項８に記載のダイバーシティ受信装置は、送信機に備えた複数の送信アンテナから送信されたＯＦＤＭ変調波の送信信号を、複数の受信アンテナを用いて受信し、前記複数の受信アンテナの受信系統毎に受信処理を行い、受信系統毎の信号を合成するダイバーシティ受信装置において、前記受信アンテナを用いて受信した受信信号から、所定の周波数帯域の信号を抽出するフィルタと、前記フィルタにより抽出された信号をＡＧＣ（Automatic Gain Control）機能により増幅すると共に周波数変換し、所定レベルのＩＦ信号を生成する受信部と、前記受信部により生成された所定レベルのＩＦ信号をＯＦＤＭ復調し、ＦＦＴした復調信号を生成すると共に、前記復調信号に基づいて雑音電力値を算出するＯＦＤＭ復調部と、前記ＯＦＤＭ復調部により算出された受信系統毎の雑音電力値に基づいて、受信系統毎の重み係数を生成する重み係数生成部と、前記ＯＦＤＭ復調部により生成された復調信号に、前記重み係数生成部により生成された重み係数を受信系統毎に乗算する乗算器と、前記乗算器により乗算された受信系統毎の復調信号を合成する信号合成部と、を備え、前記ＯＦＤＭ復調部が、前記複数の送信アンテナの送信系統毎に、前記復調信号から当該送信系統の送信信号に含まれるＳＰ信号を抽出するＳＰ抽出部と、前記ＳＰ抽出部により抽出されたＳＰ信号から主信号成分を抽出するフィルタと、前記ＳＰ抽出部により抽出されたＳＰ信号から、前記フィルタにより抽出された主信号成分を減算し、雑音成分を抽出する減算器と、前記減算器により抽出された雑音成分から雑音電力値を算出する電力算出部と、を備え、さらに、前記電力算出部により算出された送信系統毎の雑音電力値を加算し、前記加算結果を前記受信系統の雑音電力値とする加算器を備えたことを特徴とする。
【００２３】
また、本発明による請求項９に記載のダイバーシティ受信装置は、請求項８に記載のダイバーシティ受信装置において、前記ＯＦＤＭ復調部が、さらに、前記送信系統毎に、前記ＳＰ抽出部により抽出されたＳＰ信号を、シンボル方向に補間するシンボルフィルタを備え、前記ＯＦＤＭ復調部のフィルタが、前記シンボルフィルタにより補間されたＳＰ信号から主信号成分を抽出し、前記ＯＦＤＭ復調部の減算器が、前記シンボルフィルタにより補間されたＳＰ信号から、前記フィルタにより抽出された主信号成分を減算し、雑音成分を抽出する、ことを特徴とする。
【００２４】
また、本発明による請求項１０に記載のダイバーシティ受信装置は、送信機に備えた複数の送信アンテナから送信されたＯＦＤＭ変調波の送信信号を、複数の受信アンテナを用いて受信し、前記複数の受信アンテナの受信系統毎に受信処理を行い、受信系統毎の信号を合成するダイバーシティ受信装置において、前記受信アンテナを用いて受信した受信信号から、所定の周波数帯域の信号を抽出するフィルタと、前記フィルタにより抽出された信号をＡＧＣ（Automatic Gain Control）機能により増幅すると共に周波数変換し、所定レベルのＩＦ信号を生成する受信部と、前記受信部により生成された所定レベルのＩＦ信号をＯＦＤＭ復調し、ＦＦＴした復調信号を生成すると共に、前記復調信号に基づいて雑音電力値を算出するＯＦＤＭ復調部と、前記ＯＦＤＭ復調部により算出された受信系統毎の雑音電力値に基づいて、受信系統毎の重み係数を生成する重み係数生成部と、前記ＯＦＤＭ復調部により生成された復調信号に、前記重み係数生成部により生成された重み係数を受信系統毎に乗算する乗算器と、前記乗算器により乗算された受信系統毎の復調信号を合成する信号合成部と、を備え、前記ＯＦＤＭ復調部が、前記複数の送信アンテナの送信系統毎に、前記復調信号から当該送信系統の送信信号に含まれるＳＰ信号を抽出するＳＰ抽出部と、前記ＳＰ抽出部により抽出されたＳＰ信号にＩＦＦＴ処理を施し、遅延プロファイルを生成するＩＦＦＴ部と、前記ＩＦＦＴ部により生成された遅延プロファイルから雑音成分を抽出するフィルタと、前記フィルタにより抽出された雑音成分から雑音電力値を算出する電力算出部と、を備え、さらに、前記電力算出部により算出された送信系統毎の雑音電力値を加算し、前記加算結果を前記受信系統の雑音電力値とする加算器を備えたことを特徴とする。
【発明の効果】
【００２５】
以上のように、本発明によれば、各受信系統の雑音電力値を算出し、各受信系統の雑音電力値に基づいて、各受信系統の重み係数を生成するようにした。これにより、受信アンテナにて受信した受信信号のレベルまたは信号レベル差に関する増幅度情報を入出力する配線を不要とすることができ、簡易な構成により良質な受信信号を生成することが可能となる。
【図面の簡単な説明】
【００２６】
【図１】本発明の実施形態によるＳＩＭＯ伝送のダイバーシティ受信装置の構成を示すブロック図である。
【図２】実施例１によるＯＦＤＭ復調部の構成を示すブロック図である。
【図３】実施例２によるＯＦＤＭ復調部の構成を示すブロック図である。
【図４】実施例３によるＯＦＤＭ復調部の構成を示すブロック図である。
【図５】実施例４によるＯＦＤＭ復調部の構成を示すブロック図である。
【図６】実施例５によるＯＦＤＭ復調部の構成を示すブロック図である。
【図７】本発明の実施形態におけるＭＩＭＯ伝送のダイバーシティ受信装置の構成を示すブロック図である。
【図８】実施例６によるＯＦＤＭ復調部の構成を示すブロック図である。
【図９】実施例７によるＯＦＤＭ復調部の構成を示すブロック図である。
【図１０】実施例８によるＯＦＤＭ復調部の構成を示すブロック図である。
【図１１】実施例９によるＯＦＤＭ復調部の構成を示すブロック図である。
【図１２】実施例１０によるＯＦＤＭ復調部の構成を示すブロック図である。
【図１３】実施例５において、（ａ）は受信Ｃ／Ｎが高い場合の遅延プロファイルを示す図であり、（ｂ）は受信Ｃ／Ｎが低い場合の遅延プロファイルを示す図である。
【図１４】実施例６におけるＳＰ抽出部の処理の一例を説明する図である。
【図１５】ＭＩＭＯ分離及び等化部の処理を説明する図である。
【図１６】一般的な受信部の構成を示すブロック図である。
【図１７】従来のダイバーシティ受信装置の構成を示すブロック図である。
【発明を実施するための形態】
【００２７】
以下、本発明を実施するための形態について図面を参照して詳細に説明する。
〔送信系統１及び受信系統４のＳＩＭＯ伝送の場合〕
まず、送信系統の数が１及び受信系統の数が４のＳＩＭＯ伝送を実現するダイバーシティ受信装置について説明する。図１は、本発明の実施形態によるＳＩＭＯ伝送のダイバーシティ受信装置の構成を示すブロック図である。このダイバーシティ受信装置１−１は、１つの送信信号に対して４つの受信アンテナで受信した４つの受信信号を合成するダイバーシティ受信装置であり、受信アンテナ２、ＢＰＦ３、受信部４、ＯＦＤＭ復調部５、レベル補正係数生成部（重み係数生成部）６、乗算器７及び信号合成部８を備えている。受信アンテナ２、ＢＰＦ３、受信部４、ＯＦＤＭ復調部５及び乗算器７は、それぞれ４系統からなる。
【００２８】
ダイバーシティ受信装置１−１が送信機から送信されたＯＦＤＭ変調波を４系統の受信アンテナ２で受信すると、ＢＰＦ３は、図１７に示したＢＰＦ１０３と同様に、受信アンテナ２を介して受信信号をそれぞれ入力し、所定の周波数帯域の受信信号のみを抽出する。受信部４は、図１７に示した受信部１０４と同様に、同系統のＢＰＦ３から受信信号をそれぞれ入力し、入力した受信信号を周波数変換し、ＡＧＣ機能により信号を増幅し、各系統において同じ規定レベルのＩＦ信号を生成する。ここで、受信部４は、図１７に示した受信部１０４と異なり、ＡＧＣ機能により増幅した信号の増幅度情報を信号合成部８へ出力しない。
【００２９】
ＯＦＤＭ復調部５は、図１７に示したＯＦＤＭ復調部１０５と同様に、同系統の受信部４から規定レベルのＩＦ信号を入力し、入力したＩＦ信号にＯＦＤＭ復調を施し、復調信号を生成する。また、ＯＦＤＭ復調部５は、図１７に示したＯＦＤＭ復調部１０５と異なり、生成した復調信号からＳＰ（Scattered Pilot：スキャッタードパイロット）信号を抽出し、抽出したＳＰ信号に基づいて雑音電力値を算出する。
【００３０】
レベル補正係数生成部６は、ＯＦＤＭ復調部５から各系統の雑音電力値を入力し、各系統の雑音電力値のうちの最も小さい雑音電力値を基準レベルとし、基準レベルとその他の雑音電力値との間の差分値をそれぞれ算出し、算出した差分値に反比例するように、後述する乗算器７において復調信号のレベルを補正するための重み係数を生成する。
【００３１】
ここで、各受信アンテナ２で受信した信号は、受信部４のＡＧＣ機能によって、各系統において同一のレベルとなる。つまり、受信アンテナ２で受信した信号のレベルが高い場合、受信部４のＡＧＣ機能により信号増幅の度合いが低くなるから、ＯＦＤＭ復調部５により算出される雑音電力値は小さくなる。一方、受信アンテナ２で受信した信号のレベルが低い場合、受信部４のＡＧＣ機能により信号増幅の度合いが高くなるから、ＯＦＤＭ復調部５により算出される雑音電力値は大きくなる。そして、レベル補正係数生成部６により雑音電力値に反比例した重み係数が生成される。したがって、各受信アンテナ２で受信した信号のレベルに比例した重み係数が生成される。
【００３２】
尚、レベル補正係数生成部６は、各系統の雑音電力値に基づいて、最小の雑音電力値を基準レベルとし、各系統の重み係数を生成するようにしたが、最大の雑音電力値を基準レベルとするようにしてもよいし、平均の雑音電力値を基準レベルとするようにしてもよい。要するに、レベル補正係数生成部６は、後述する乗算器７において復調信号のレベルを補正するための重み係数として、各系統の雑音電力値に基づいて、相対的に雑音電力値が大きい場合に重み係数が小さくなり、相対的に雑音電力値が小さい場合に重み係数が大きくなるように、各系統の重み係数を生成する。
【００３３】
乗算器７は、同系統のＯＦＤＭ復調部５から復調信号を入力すると共に、レベル補正係数生成部６から当該系統の重み係数を入力し、復調信号に重み係数を乗算する。これにより、受信アンテナ２にて受信した受信信号のレベルに比例した復調信号が生成される。
【００３４】
信号合成部８は、乗算器７から各系統の復調信号を入力し、各系統の復調信号に基づいて各伝送路の周波数応答を算出し、算出した各伝送路の周波数応答に基づいてサブキャリア毎に各系統の合成重み係数を生成する。そして、信号合成部８は、サブキャリア毎の各系統の合成重み係数を用いて、サブキャリア単位での最大比合成を行って合成信号を生成し、生成した合成信号を出力する。信号合成部８により出力される合成信号Ｓは、送信機からの送信信号Ｓに相当する。このようにして、元の送信信号が復元される。尚、この最大比合成法については公知技術により実現できることから、ここでは詳細な説明は省略する。詳細については、例えば、「“地上デジタル放送の放送波中継におけるスペースダイバシティ受信の適用〜周波数軸等化および等化判定を行う放送波中継の検討〜”、社団法人映像情報メディア学会技術報告、 ITE Technical Report Vol.25、No.50、PP13-18、BCS2001-26、ROFT2001-66(Jul. 2001)」を参照されたい。
【００３５】
次に、図１に示したＳＩＭＯ伝送を実現するダイバーシティ受信装置１−１のＯＦＤＭ復調部５について詳細に説明する。前述のとおり、ＯＦＤＭ復調部５は、各系統において同じ規定レベルのＩＦ信号にＯＦＤＭ復調を施し、復調信号を生成すると共に、生成した復調信号からＳＰ信号を抽出し、抽出したＳＰ信号に基づいて雑音電力値を算出する。以下に示す実施例１〜５のＯＦＤＭ復調部５−１〜５−５では、抽出したＳＰ信号から雑音電力値を算出する手法が異なる。
【００３６】
〔実施例１のＯＦＤＭ復調部〕
まず、実施例１のＯＦＤＭ復調部５について説明する。図２は、実施例１によるＯＦＤＭ復調部５の構成を示すブロック図である。このＯＦＤＭ復調部５−１は、Ａ／Ｄ（Analog／Digital：アナログ／デジタル）変換部５１、直交復調部５２、ＡＦＣ（Automatic Frequency Control：自動周波数制御）部５３、ＧＩ（Guard Interval：ガードインターバル）除去部５４、ＦＦＴ（Fast Fourier Transform：高速フーリエ変換）部５５、周波数誤差検出部５６及び雑音レベル検出部５７−１を備えている。
【００３７】
ＯＦＤＭ復調部５−１のＡ／Ｄ変換部５１は、受信部４から規定レベルのＩＦ信号を入力し、入力したアナログ信号をデジタル信号に変換し、デジタルのＩＦ信号を生成する。直交復調部５２は、Ａ／Ｄ変換部５１からデジタルのＩＦ信号を入力し、入力したＩＦ信号に直交復調を施し、等価ベースバンド信号を生成する。
【００３８】
ＡＦＣ部５３は、直交復調部５２から等価ベースバンド信号を入力すると共に、周波数誤差検出部５６から周波数誤差を入力し、入力した周波数誤差に基づいて、入力した等価ベースバンド信号の周波数を補正し、周波数同期させる。ＧＩ除去部５４は、ＡＦＣ部５３から周波数同期した等価ベースバンド信号を入力し、等価ベースバンド信号に含まれるＧＩを除去し、有効シンボル期間の等価ベースバンド信号を抽出する。ＦＦＴ部５５は、ＧＩ除去部５４から有効シンボル期間の等価ベースバンド信号を入力し、入力した有効シンボル期間の等価ベースバンド信号にＦＦＴ処理を施し、サブキャリア毎の信号を生成し、ＦＦＴ出力信号である復調信号として乗算器７、雑音レベル検出部５７−１及び周波数誤差検出部５６に出力する。周波数誤差検出部５６は、ＦＦＴ部５５から周波数領域の信号を入力し、パイロット信号の配置の相関値等から周波数誤差を検出する。
【００３９】
雑音レベル検出部５７−１は、ＳＰ抽出部５７１、ＢＰＦ５７２及び電力算出部５７３を備えている。ＳＰ抽出部５７１は、ＦＦＴ部５５から周波数領域の信号を入力し、所定位置に配置されたＳＰのキャリアシンボル（ＳＰ信号）を抽出する。ＢＰＦ５７２は、ＳＰ抽出部５７１からＳＰ信号を入力し、入力したＳＰ信号から周波数領域の雑音成分の信号を抽出する。
【００４０】
電力算出部５７３は、ＢＰＦ５７２からＳＰ信号に含まれる雑音成分の信号を入力し、雑音成分の信号の雑音電力値を算出し、算出した雑音電力値をレベル補正係数生成部６に出力する。
【００４１】
通常、雑音電力値のレベル（熱雑音）は、全ての系統の受信アンテナ２において同じである。しかし、受信部４に備えたＡＧＣ機能により受信信号が増幅するに従って、雑音レベルも増幅して変化するから、電力算出部５７３により算出される雑音電力値は、系統間で異なるものとなる。したがって、電力算出部５７３により算出される雑音電力値は、受信部４に備えたＡＧＣ機能により受信信号が増幅される度合い（図１７に示した増幅度情報）に対応した値となる。
【００４２】
以上のように、実施例１のＯＦＤＭ復調部５−１を備えたダイバーシティ受信装置１−１によれば、ＯＦＤＭ復調部５−１は、復調信号からＳＰ信号を抽出し、ＳＰ信号から雑音成分の信号を抽出し、各系統の雑音電力値を算出するようにした。また、レベル補正係数生成部６は、各系統の雑音電力値に基づいて各系統の重み係数を生成し、乗算器７は、復調信号に重み係数を乗算するようにした。これにより、受信アンテナ２にて受信した受信信号のレベルに対応した復調信号が生成され、信号合成部８において各系統の復調信号が最大比合成法により合成される。したがって、ＯＦＤＭ復調部５−１において、各受信アンテナ２にて受信した受信信号のレベルまたは信号レベル差に関する増幅度情報に相当する情報を、重み係数として推定することができ、受信信号のＣＮＲが最大となる最大比合成法のダイバーシティ受信が可能となる。また、増幅度情報を受信部４から別配線にて送る必要がないから、簡易な構成により良質な受信信号を生成することが可能となる。
【００４３】
〔実施例２のＯＦＤＭ復調部〕
次に、実施例２のＯＦＤＭ復調部５について説明する。図３は、実施例２によるＯＦＤＭ復調部５の構成を示すブロック図である。このＯＦＤＭ復調部５−２は、Ａ／Ｄ変換部５１、直交復調部５２、ＡＦＣ部５３、ＧＩ除去部５４、ＦＦＴ部５５、周波数誤差検出部５６及び雑音レベル検出部５７−２を備えている。図２に示した実施例１のＯＦＤＭ復調部５−１と図３に示す実施例２のＯＦＤＭ復調部５−２とを比較すると、ＯＦＤＭ復調部５−１，５−２共に、Ａ／Ｄ変換部５１、直交復調部５２、ＡＦＣ部５３、ＧＩ除去部５４、ＦＦＴ部５５及び周波数誤差検出部５６を備えている点で同一である。一方、ＯＦＤＭ復調部５−２は、ＯＦＤＭ復調部５−１の雑音レベル検出部５７−１とは異なる雑音レベル検出部５７−２を備えている点で相違する。
【００４４】
ＯＦＤＭ復調部５−２のＡ／Ｄ変換部５１、直交復調部５２、ＡＦＣ部５３、ＧＩ除去部５４、ＦＦＴ部５５及び周波数誤差検出部５６は、図２に示した実施例１の各構成部と同様であるから、ここでは説明を省略する。
【００４５】
雑音レベル検出部５７−２は、ＳＰ抽出部５７１、シンボルフィルタ５７４、ＢＰＦ５７２及び電力算出部５７３を備えている。図２に示した実施例１の雑音レベル検出部５７−１と図３に示す実施例２の雑音レベル検出部５７−２とを比較すると、両雑音レベル検出部５７−１，５７−２共に、ＳＰ抽出部５７１、ＢＰＦ５７２及び電力算出部５７３を備えている点で同一である。一方、雑音レベル検出部５７−２は、雑音レベル検出部５７−１の構成部に加え、ＳＰ抽出部５７１とＢＰＦ５７２との間にシンボルフィルタ５７４を備えている点で相違する。
【００４６】
雑音レベル検出部５７−２のＳＰ抽出部５７１、ＢＰＦ５７２及び電力算出部５７３は、図２に示した実施例１の各構成部と同様であるから、ここでは説明を省略する。
【００４７】
雑音レベル検出部５７−２のシンボルフィルタ５７４は、ＳＰ抽出部５７１からＳＰ信号を入力し、シンボル方向にＳＰ信号を補間する。そして、ＢＰＦ５７２において、シンボルフィルタ５７４によりシンボル方向に補間されたＳＰ信号から、周波数領域の雑音成分の信号が抽出され、電力算出部５７３において、雑音成分の信号から雑音電力値が算出される。
【００４８】
以上のように、実施例２のＯＦＤＭ復調部５−２を備えたダイバーシティ受信装置１−１によれば、ＯＦＤＭ復調部５−２は、復調信号からＳＰ信号を抽出し、ＳＰ信号をシンボル方向に補間して雑音成分の信号を抽出し、各系統の雑音電力値を算出するようにした。また、レベル補正係数生成部６は、各系統の雑音電力値に基づいて各系統の重み係数を生成し、乗算器７は、復調信号に重み係数を乗算するようにした。これにより、受信アンテナ２にて受信した受信信号のレベルに対応した復調信号が生成され、信号合成部８において各系統の復調信号が最大比合成法により合成される。したがって、実施例１と同様に、増幅度情報を入出力する配線を不要にし、良質な受信信号を生成することが可能となる。
【００４９】
また、ＯＦＤＭ復調部５−２における雑音レベル検出部５７−２のシンボルフィルタ５７４は、ＳＰ信号をシンボル方向に補間し、ＢＰＦ５７２は、シンボル方向に補間されたＳＰ信号から雑音成分の信号を抽出するようにした。これにより、ＢＰＦ５７２において折り返し歪み（エイリアシング）が減少し、急峻なフィルタ特性を緩和することができ、その結果、ＢＰＦ５７２のタップ係数を減らすことができる。したがって、一層簡易な構成により、最大比合成法を実現することができる。
【００５０】
〔実施例３のＯＦＤＭ復調部〕
次に、実施例３のＯＦＤＭ復調部５について説明する。図４は、実施例３によるＯＦＤＭ復調部５の構成を示すブロック図である。このＯＦＤＭ復調部５−３は、Ａ／Ｄ変換部５１、直交復調部５２、ＡＦＣ部５３、ＧＩ除去部５４、ＦＦＴ部５５、周波数誤差検出部５６及び雑音レベル検出部５７−３を備えている。図２に示した実施例１のＯＦＤＭ復調部５−１と図４に示す実施例３のＯＦＤＭ復調部５−３とを比較すると、ＯＦＤＭ復調部５−１，５−３共に、Ａ／Ｄ変換部５１、直交復調部５２、ＡＦＣ部５３、ＧＩ除去部５４、ＦＦＴ部５５及び周波数誤差検出部５６を備えている点で同一である。一方、ＯＦＤＭ復調部５−３は、ＯＦＤＭ復調部５−１の雑音レベル検出部５７−１とは異なる雑音レベル検出部５７−３を備えている点で相違する。
【００５１】
ＯＦＤＭ復調部５−３のＡ／Ｄ変換部５１、直交復調部５２、ＡＦＣ部５３、ＧＩ除去部５４、ＦＦＴ部５５及び周波数誤差検出部５６は、図２に示した実施例１の各構成部と同様であるから、ここでは説明を省略する。
【００５２】
雑音レベル検出部５７−３は、ＳＰ抽出部５７１、ＬＰＦ（Low Pass Filter：ローパスフィルタ）５７５、減算器５７６及び電力算出部５７３を備えている。図２に示した実施例１の雑音レベル検出部５７−１と図４に示す実施例３の雑音レベル検出部５７−３とを比較すると、両雑音レベル検出部５７−１，５７−３共に、ＳＰ抽出部５７１及び電力算出部５７３を備えている点で同一である。一方、雑音レベル検出部５７−３は、雑音レベル検出部５７−１のＢＰＦ５７２に代えて、ＬＰＦ５７５及び減算器５７６を備えている点で相違する。
【００５３】
雑音レベル検出部５７−３のＳＰ抽出部５７１及び電力算出部５７３は、図２に示した実施例１の各構成部と同様であるから、ここでは説明を省略する。
【００５４】
雑音レベル検出部５７−３のＬＰＦ５７５は、ＳＰ抽出部５７１からＳＰ信号を入力し、入力したＳＰ信号から雑音成分を除去し、ＳＰ信号の主信号成分を抽出する。減算器５７６は、ＳＰ抽出部５７１からＳＰ信号を入力すると共に、ＬＰＦ５７５からＳＰ信号の主信号成分を入力し、ＳＰ抽出部５７１により抽出されたＳＰ信号から、ＬＰＦ５７５により抽出されたＳＰ信号の主信号成分を減算して除去し、雑音成分の信号を抽出する。そして、電力算出部５７３において、減算器５７６により抽出された雑音成分の信号から、雑音電力値が算出される。
【００５５】
以上のように、実施例３のＯＦＤＭ復調部５−３を備えたダイバーシティ受信装置１−１によれば、ＯＦＤＭ復調部５−３は、復調信号からＳＰ信号を抽出し、ＳＰ信号から主信号成分を抽出し、ＳＰ信号から主信号成分を除去して雑音成分の信号を抽出し、各系統の雑音電力値を算出するようにした。また、レベル補正係数生成部６は、各系統の雑音電力値に基づいて各系統の重み係数を生成し、乗算器７は、復調信号に重み係数を乗算するようにした。これにより、受信アンテナ２にて受信した受信信号のレベルに対応した復調信号が生成され、信号合成部８において各系統の復調信号が最大比合成法により合成される。したがって、実施例１，２と同様に、増幅度情報を入出力する配線を不要にし、良質な受信信号を生成することが可能となる。
【００５６】
〔実施例４のＯＦＤＭ復調部〕
次に、実施例４のＯＦＤＭ復調部５について説明する。図５は、実施例４によるＯＦＤＭ復調部５の構成を示すブロック図である。このＯＦＤＭ復調部５−４は、Ａ／Ｄ変換部５１、直交復調部５２、ＡＦＣ部５３、ＧＩ除去部５４、ＦＦＴ部５５、周波数誤差検出部５６及び雑音レベル検出部５７−４を備えている。図４に示した実施例３のＯＦＤＭ復調部５−３と図５に示す実施例４のＯＦＤＭ復調部５−４とを比較すると、ＯＦＤＭ復調部５−３，５−４共に、Ａ／Ｄ変換部５１、直交復調部５２、ＡＦＣ部５３、ＧＩ除去部５４、ＦＦＴ部５５及び周波数誤差検出部５６を備えている点で同一である。一方、ＯＦＤＭ復調部５−４は、ＯＦＤＭ復調部５−３の雑音レベル検出部５７−３とは異なる雑音レベル検出部５７−４を備えている点で相違する。
【００５７】
ＯＦＤＭ復調部５−４のＡ／Ｄ変換部５１、直交復調部５２、ＡＦＣ部５３、ＧＩ除去部５４、ＦＦＴ部５５及び周波数誤差検出部５６は、図４に示した実施例３の各構成部と同様であるから、ここでは説明を省略する。
【００５８】
雑音レベル検出部５７−４は、ＳＰ抽出部５７１、シンボルフィルタ５７４、ＬＰＦ５７５、減算器５７６及び電力算出部５７３を備えている。図４に示した実施例３の雑音レベル検出部５７−３と図５に示す実施例４の雑音レベル検出部５７−４とを比較すると、両雑音レベル検出部５７−３，５７−４共に、ＳＰ抽出部５７１、ＬＰＦ５７５、減算器５７６及び電力算出部５７３を備えている点で同一である。一方、雑音レベル検出部５７−４は、雑音レベル検出部５７−３の構成部に加え、ＳＰ抽出部５７１とＬＰＦ５７５及び減算器５７６との間にシンボルフィルタ５７４を備えている点で相違する。
【００５９】
雑音レベル検出部５７−４のＳＰ抽出部５７１、ＬＰＦ５７５、減算器５７６及び電力算出部５７３は、図４に示した実施例３の各構成部と同様であるから、ここでは説明を省略する。
【００６０】
雑音レベル検出部５７−４のシンボルフィルタ５７４は、ＳＰ抽出部５７１からＳＰ信号を入力し、シンボル方向にＳＰ信号を補間する。そして、ＬＰＦ５７５において、シンボルフィルタ５７４によりシンボル方向に補間されたＳＰ信号から主信号成分が抽出され、減算器５７６において、シンボルフィルタ５７４によりシンボル方向に補間されたＳＰ信号から主信号成分が除去される。そして、電力算出部５７３において、雑音成分の信号から雑音電力値が算出される。
【００６１】
以上のように、実施例４のＯＦＤＭ復調部５−４を備えたダイバーシティ受信装置１−１によれば、ＯＦＤＭ復調部５−４は、復調信号からＳＰ信号を抽出し、ＳＰ信号をシンボル方向に補間して主信号成分を抽出し、シンボル方向に補間したＳＰ信号から主信号成分を除去して雑音成分の信号を抽出し、各系統の雑音電力値を算出するようにした。また、レベル補正係数生成部６は、各系統の雑音電力値に基づいて各系統の重み係数を生成し、乗算器７は、復調信号に重み係数を乗算するようにした。これにより、受信アンテナ２にて受信した受信信号のレベルに対応した復調信号が生成され、信号合成部８において各系統の復調信号が最大比合成法により合成される。したがって、実施例１〜３と同様に、増幅度情報を入出力する配線を不要にし、良質な受信信号を生成することが可能となる。
【００６２】
また、ＯＦＤＭ復調部５−４における雑音レベル検出部５７−４のシンボルフィルタ５７４は、ＳＰ信号をシンボル方向に補間し、ＬＰＦ５７５は、シンボル方向に補間されたＳＰ信号から主信号成分を抽出し、減算器５７６は、シンボル方向に補間されたＳＰ信号から主信号成分を除去して雑音成分の信号を抽出するようにした。これにより、ＬＰＦ５７５において折り返し歪み（エイリアシング）が減少し、急峻なフィルタ特性を緩和することができ、その結果、ＬＰＦ５７５のタップ係数を減らすことができる。したがって、一層簡易な構成により、最大比合成法を実現することができる。
【００６３】
〔実施例５のＯＦＤＭ復調部〕
次に、実施例５のＯＦＤＭ復調部５について説明する。図６は、実施例５によるＯＦＤＭ復調部５の構成を示すブロック図である。このＯＦＤＭ復調部５−５は、Ａ／Ｄ変換部５１、直交復調部５２、ＡＦＣ部５３、ＧＩ除去部５４、ＦＦＴ部５５、周波数誤差検出部５６及び雑音レベル検出部５７−５を備えている。図３に示した実施例２のＯＦＤＭ復調部５−２と図６に示す実施例５のＯＦＤＭ復調部５−５とを比較すると、ＯＦＤＭ復調部５−２，５−５共に、Ａ／Ｄ変換部５１、直交復調部５２、ＡＦＣ部５３、ＧＩ除去部５４、ＦＦＴ部５５及び周波数誤差検出部５６を備えている点で同一である。一方、ＯＦＤＭ復調部５−５は、ＯＦＤＭ復調部５−２の雑音レベル検出部５７−２とは異なる雑音レベル検出部５７−５を備えている点で相違する。
【００６４】
ＯＦＤＭ復調部５−５のＡ／Ｄ変換部５１、直交復調部５２、ＡＦＣ部５３、ＧＩ除去部５４、ＦＦＴ部５５及び周波数誤差検出部５６は、図３に示した実施例２の各構成部と同様であるから、ここでは説明を省略する。
【００６５】
雑音レベル検出部５７−５は、ＳＰ抽出部５７１、シンボルフィルタ５７４、ＩＦＦＴ（Inverse Fast Fourier Transform：逆高速フーリエ変換）部５７７、ＢＰＦ５７９及び電力算出部５７３を備えている。図３に示した実施例２の雑音レベル検出部５７−２と図５に示す実施例５の雑音レベル検出部５７−５とを比較すると、両雑音レベル検出部５７−２，５７−５共に、ＳＰ抽出部５７１、シンボルフィルタ５７４及び電力算出部５７３を備えている点で同一である。一方、雑音レベル検出部５７−５は、雑音レベル検出部５７−２のＢＰＦ５７２とは異なるＢＰＦ５７９を備え、シンボルフィルタ５７４とＢＰＦ５７９との間にＩＦＦＴ部５７７を備えている点で相違する。
【００６６】
雑音レベル検出部５７−５のＳＰ抽出部５７１、シンボルフィルタ５７４及び電力算出部５７３は、図３に示した実施例２の各構成部と同様であるから、ここでは説明を省略する。
【００６７】
雑音レベル検出部５７−５のＩＦＦＴ部５７７は、シンボルフィルタ５７４からシンボル方向に補間されたＳＰ信号を入力し、シンボル方向に補間されたＳＰ信号にＩＦＦＴ処理を施し、同系統における受信アンテナ２にて受信した受信信号の遅延プロファイルを生成する。
【００６８】
ＢＰＦ５７９は、ＩＦＦＴ部５７７から遅延プロファイルを入力し、入力した遅延プロファイルから時間領域の雑音成分の信号を抽出する。そして、電力算出部５７３において、雑音成分の信号から雑音電力値が算出される。
【００６９】
図１３（ａ）は、実施例５において、受信Ｃ／Ｎが高い場合の遅延プロファイルを示す図であり、図１３（ｂ）は、実施例５において、受信Ｃ／Ｎが低い場合の遅延プロファイルを示す図である。縦軸は遅延プロファイルの相対電力であり、横軸は遅延時間（μｓｅｃ）である。図１３（ａ）（ｂ）には、３３６μｓｅｃ及び６７２μｓｅｃの遅延時間のタイミングに、ＩＦＦＴ部５７７による折り返し成分が現れている。図１３（ａ）に示すように、受信Ｃ／Ｎが高い場合は、主波（遅延時間０付近の信号）のレベルに対して雑音レベルが十分低い遅延プロファイルになっており、図１３（ｂ）に示すように、受信Ｃ／Ｎが低い場合は、主波のレベルに対して雑音レベルが高い遅延プロファイルになっている。これは、雑音電力値のレベル（熱雑音）は、全ての系統の受信アンテナ２において同じであるが、受信部４に備えたＡＧＣ機能により受信信号が増幅するに従い、雑音レベルも増幅して変化するからである。つまり、受信Ｃ／Ｎが高い受信信号は受信Ｃ／Ｎが低い受信信号よりも増幅度合いが低いから、図１３（ａ）に示すように、雑音レベルが低い遅延プロファイルになる。一方、受信Ｃ／Ｎが低い受信信号は受信Ｃ／Ｎが高い受信信号よりも増幅度合いが高いから、図１３（ｂ）に示すように、雑音レベルが高い遅延プロファイルになる。
【００７０】
図１３に示した遅延プロファイルを入力するＢＰＦ５７９は、図１３のα，βで囲まれた通過特性を有するフィルタとすることにより、遅延プロファイルから雑音成分の信号を抽出することができる。ここで、ＢＰＦ５７９の通過特性は、図１３のα，βのように、ＩＦＦＴ部５７７による折り返し歪みの影響を受けず、かつマルチパスの影響を小さくする時間範囲で設定される。
【００７１】
以上のように、実施例５のＯＦＤＭ復調部５−５を備えたダイバーシティ受信装置１−１によれば、ＯＦＤＭ復調部５−５は、復調信号からＳＰ信号を抽出し、ＳＰ信号をシンボル方向に補間し、ＩＦＦＴ処理を施して遅延プロファイルを生成し、遅延プロファイルから雑音成分の信号を抽出し、各系統の雑音電力値を算出するようにした。また、レベル補正係数生成部６は、各系統の雑音電力値に基づいて各系統の重み係数を生成し、乗算器７は、復調信号に重み係数を乗算するようにした。これにより、受信アンテナ２にて受信した受信信号のレベルに対応した復調信号が生成され、信号合成部８において各系統の復調信号が最大比合成法により合成される。したがって、実施例１〜４と同様に、増幅度情報を入出力する配線を不要にし、良質な受信信号を生成することが可能となる。
【００７２】
また、ＯＦＤＭ復調部５−５における雑音レベル検出部５７−５のシンボルフィルタ５７４は、ＳＰ信号をシンボル方向に補間し、ＩＦＦＴ部５７７は、シンボル方向に補間されたＳＰ信号にＩＦＦＴ処理を施して遅延プロファイルを生成し、ＢＰＦ５７９は、遅延プロファイルから雑音成分の信号を抽出するようにした。これにより、ＢＰＦ５７９において折り返し歪み（エイリアシング）が減少し、急峻なフィルタ特性を緩和することができ、その結果、ＢＰＦ５７９のタップ係数を減らすことができる。したがって、一層簡易な構成により、最大比合成法を実現することができる。
【００７３】
尚、図６に示した実施例５のＯＦＤＭ復調部５−５の雑音レベル検出部５７−５は、ＳＰ抽出部５７１とＩＦＦＴ部５７７との間にシンボルフィルタ５７４を備えるようにしたが、シンボルフィルタ５７４を備えないようにしてもよい。
【００７４】
〔送信系統２及び受信系統４のＭＩＭＯ（Multi Input Multi Output：多入力多出力）伝送の場合〕
次に、送信系統の数が２及び受信系統の数が４のＭＩＭＯ伝送を実現するダイバーシティ受信装置について説明する。図７は、本発明の実施形態によるＭＩＭＯ伝送のダイバーシティ受信装置の構成を示すブロック図である。このダイバーシティ受信装置１−２は、２つの送信信号に対して４つの受信アンテナで受信した受信信号を分離及び合成するダイバーシティ受信装置であり、受信アンテナ２、ＢＰＦ３、受信部４、ＯＦＤＭ復調部５、レベル補正係数生成部（重み係数生成部）６、乗算器７及びＭＩＭＯ分離及び等化部９を備えている。受信アンテナ２、ＢＰＦ３、受信部４、ＯＦＤＭ復調部５及び乗算器７は、それぞれ４系統からなる。
【００７５】
受信アンテナ２、ＢＰＦ３、受信部４、レベル補正係数生成部６及び乗算器７は、図１に示したＳＩＭＯ伝送を実現するダイバーシティ受信装置１−１の構成部と同様であるから、ここでは説明を省略する。
【００７６】
ＭＩＭＯ分離及び等化部９は、乗算器７から各系統の復調信号を入力し、各系統の復調信号に基づいて各伝送路の周波数応答を算出し、算出した各伝送路の周波数応答及び各系統の復調信号に基づいて、送信機により送信された元の送信信号を求めて出力する。ＭＩＭＯ分離及び等化部９により出力される信号Ｓｈ，Ｓｖは、送信機からの送信信号Ｓｈ，Ｓｖに相当する。
【００７７】
図１５は、図７に示したＭＩＭＯ分離及び等化部９の処理を説明する図であり、直交偏波多重の送信系統の数が２及び受信系統の数が４のＭＩＭＯ伝送の系統を示している。図１５において、第１の送信信号をＳｈ、第２の送信信号をＳｖとし、受信信号をＲｈ１，Ｒｈ２，Ｒｖ１，Ｒｖ２とする。送受信間の伝送路は８つあり、それぞれ伝搬路応答（伝送路の周波数応答）をｈｈ１，ｈｈ２，ｈｖ１，ｈｖ２，ｖｈ１，ｖｈ２，ｖｖ１，ｖｖ２とすると、伝搬路（チャネル）行列Ｈは以下のように表すことができる。これらの伝搬路応答は、受信信号Ｒｈ１，Ｒｈ２，Ｒｖ１，Ｒｖ２である復調信号に含まれるＳＰ信号に基づいて算出される。
【数１】
0005878798.tif 000002
【００７８】
送信信号及び受信信号の関係は、前記式（１）の伝搬路行列Ｈを用いると以下のようになる。Ｎは熱雑音を示す。
【数２】
0005878798.tif 000003
【００７９】
前記式（２）から、伝搬路行列Ｈの逆行列を両辺の左から乗算することにより、送信信号Ｓｈ，Ｓｖを求めることができる。
【数３】
0005878798.tif 000004
これにより、ＭＩＭＯ分離及び等化部９において、乗算器７から入力した各系統の復調信号Ｒｈ１，Ｒｈ２，Ｒｖ１，Ｒｖ２に対し、サブキャリア単位の分離及び合成処理を一度に行い、元の送信信号Ｓｈ，Ｓｖを求めることができる。伝搬路行列Ｈが正則行列の場合には、逆行列を求めることができるが、常に伝搬路行列Ｈが正則行列であるとは限らない。そこで、伝搬路行列Ｈの一般化逆行列を用い、その一般化逆行列をＷとすると、以下の式となる。
【数４】
0005878798.tif 000005
【００８０】
前記式（４）で求められた一般化逆行列Ｗを受信信号行列の左から乗算することにより、以下に示すように、送信信号を復元することができる。
【数５】
0005878798.tif 000006
【００８１】
次に、図７に示したＭＩＭＯ伝送を実現するダイバーシティ受信装置１−２のＯＦＤＭ復調部５について詳細に説明する。ＯＦＤＭ復調部５は、各系統において同じ規定レベルのＩＦ信号にＯＦＤＭ復調を施し、復調信号を生成すると共に、生成した復調信号から送信系統毎にＳＰ信号を抽出し、抽出したＳＰ信号に基づいて雑音電力値を算出する。以下に示す実施例６〜１０のＯＦＤＭ復調部５−６〜５−１０では、抽出したＳＰから雑音電力値を算出する手法が異なる。
【００８２】
〔実施例６のＯＦＤＭ復調部〕
まず、実施例６のＯＦＤＭ復調部５について説明する。図８は、実施例６によるＯＦＤＭ復調部５の構成を示すブロック図である。このＯＦＤＭ復調部５−６は、Ａ／Ｄ変換部５１、直交復調部５２、ＡＦＣ部５３、ＧＩ除去部５４、ＦＦＴ部５５、周波数誤差検出部５６及び雑音レベル検出部５７−６を備えている。図２に示した実施例１のＯＦＤＭ復調部５−１と図８に示す実施例６のＯＦＤＭ復調部５−６とを比較すると、ＯＦＤＭ復調部５−１，５−６共に、Ａ／Ｄ変換部５１、直交復調部５２、ＡＦＣ部５３、ＧＩ除去部５４、ＦＦＴ部５５及び周波数誤差検出部５６を備えている点で同一である。一方、ＯＦＤＭ復調部５−６は、ＯＦＤＭ復調部５−１の雑音レベル検出部５７−１とは異なる雑音レベル検出部５７−６を備えている点で相違する。
【００８３】
ＯＦＤＭ復調部５−６のＡ／Ｄ変換部５１、直交復調部５２、ＡＦＣ部５３、ＧＩ除去部５４、ＦＦＴ部５５及び周波数誤差検出部５６は、図２に示した実施例１の各構成部と同様であるから、ここでは説明を省略する。
【００８４】
雑音レベル検出部５７−６は、ＳＰ抽出部５７１、２系統のＢＰＦ５７２−１，５７２−２、２系統の電力算出部５７３−１，５７３−２及び加算器５７８を備えている。ＳＰ抽出部５７１は、ＦＦＴ部５５から復調信号を入力し、復調信号のサブキャリアから、第１の送信アンテナから出力された第１の送信信号Ｓｈに含まれるＳＰのキャリアシンボル（ＳＰ信号）と、第２の送信アンテナから出力された第２の送信信号Ｓｖに含まれるＳＰのキャリアシンボル（ＳＰ信号）とを抽出する。
【００８５】
図１４は、図８に示したＳＰ抽出部５７１の処理の一例を説明する図である。図１４（ａ）は、第１の送信アンテナから出力された第１の送信信号Ｓｈに含まれるＳＰ信号の配置を示し、図１４（ｂ）は、第２の送信アンテナから出力された第２の送信信号Ｓｖに含まれるＳＰ信号の配置を示す。本来のＳＰ信号の配置は、シンボル番号０，４，・・・のキャリア番号０，１２，・・・、シンボル番号１，５，・・・のキャリア番号３，１５，・・・、シンボル番号２，６，・・・のキャリア番号６，１８，・・・及びシンボル番号３，７，・・・のキャリア番号９，２１，・・・である。送信機は、これらの配置において、第１の送信信号Ｓｈ及び第２の送信信号Ｓｖに対し、交互にＳＰ信号とヌル信号とを配置する。斜線部がＳＰ信号の配置位置を示し、×印部がヌル信号の配置位置を示す。
【００８６】
具体的には、送信機は、図１４（ａ）に示すように、ＳＰ信号を、シンボル番号０，８，・・・のキャリア番号０，２４，・・・、シンボル番号１，９，・・・のキャリア番号１５，３９，・・・、シンボル番号２，１０，・・・のキャリア番号６，３０，・・・及びシンボル番号３，１１，・・・のキャリア番号２１，４５・・・に配置し、ヌル信号を、本来のＳＰ信号の配置位置のうち前記以外の位置に配置し、第１の送信信号Ｓｈを送信する。また、送信機は、図１４（ｂ）に示すように、ＳＰ信号を、シンボル番号０，８，・・・のキャリア番号１２，３６，・・・、シンボル番号１，９，・・・のキャリア番号３，２７，・・・、シンボル番号２，１０，・・・のキャリア番号１８，４２，・・・及びシンボル番号３，１１，・・・のキャリア番号９，３３・・・に配置し、ヌル信号を、本来のＳＰ信号の配置位置のうち前記以外の位置に配置し、第２の送信信号Ｓｖを送信する。
【００８７】
図１４（ａ）に示したＳＰ配置の送信信号Ｓｈと、図１４（ｂ）に示したＳＰ配置の送信信号Ｓｖとが合成された信号が、ダイバーシティ受信装置１−２にて受信され、受信信号Ｒｈ１，Ｒｈ２，Ｒｖ１，Ｒｖ２となる。これらの合成信号は、例えば、シンボル番号０のキャリア番号０におけるキャリアシンボルが送信信号ＳｈのＳＰ信号であり、シンボル番号０のキャリア番号１２におけるキャリアシンボルが送信信号ＳｖのＳＰ信号であり、本来のＳＰ信号の配置において、送信信号ＳｈのＳＰ信号と送信信号ＳｖのＳＰ信号とが交互に配置された信号となる。
【００８８】
したがって、図８に示したＯＦＤＭ復調部５−６における雑音レベル検出部５７−６のＳＰ抽出部５７１は、本来のＳＰ信号の配置において送信信号ＳｈのＳＰ信号と送信信号ＳｖのＳＰ信号とが交互に配置された合成信号である復調信号のサブキャリアから、送信信号Ｓｈに含まれるＳＰ信号と送信信号Ｓｖに含まれるＳＰ信号とを抽出する。ＳＰ抽出部５７１により抽出された送信信号Ｓｈに含まれるＳＰ信号はＢＰＦ５７２−１に出力され、送信信号Ｓｖに含まれるＳＰ信号はＢＰＦ５７２−２に出力される。
【００８９】
尚、図１４では、送信機が第１の送信信号Ｓｈ及び第２の送信信号Ｓｖに対し、交互にＳＰ信号とヌル信号とを配置し、ダイバーシティ受信装置１−２がこれらの合成信号を受信する例を示した。これに対し、送信機が、第１の送信信号Ｓｈに対し、従来のＳＰ信号と同様のＳＰ信号を配置し、第２の送信信号Ｓｖに対し、従来のＳＰ信号の配置において、従来のＳＰ信号と同じ位相のＳＰ信号と位相を反転したＳＰ信号とを交互に配置し、ダイバーシティ受信装置１−２がこれらの合成信号を受信するようにしてもよい。この場合、図８に示したＯＦＤＭ復調部５−６における雑音レベル検出部５７−６のＳＰ抽出部５７１は、従来のＳＰ信号と同じ位相のＳＰ信号が配置された送信信号Ｓｈと、従来のＳＰ信号と同じ位相及び反転した位相のＳＰ信号が交互に配置された送信信号Ｓｖとの合成信号である周波数領域の信号を入力する。そして、ＳＰ抽出部５７１は、シンボル方向に隣り合うＳＰの合成信号同士の加算結果に対し２で除算することで、送信信号Ｓｈに含まれるＳＰ信号を抽出し、シンボル方向に隣り合うＳＰの合成信号同士の減算結果に対し２で除算することで、送信信号Ｓｖに含まれるＳＰ信号を抽出する。尚、この手法は既知であるから、詳細な説明を省略する。
【００９０】
ＢＰＦ５７２−１は、ＳＰ抽出部５７１から送信信号ＳｈのＳＰ信号を入力し、入力したＳＰ信号から周波数領域の雑音成分の信号を抽出する。ＢＰＦ５７２−２は、ＳＰ抽出部５７１から送信信号ＳｖのＳＰ信号を入力し、入力したＳＰ信号から周波数領域の雑音成分の信号を抽出する。
【００９１】
電力算出部５７３−１は、ＢＰＦ５７２−１から送信信号ＳｈのＳＰ信号に含まれる雑音成分の信号を入力し、雑音成分の信号の雑音電力値を算出する。電力算出部５７３−２は、ＢＰＦ５７２−２から送信信号ＳｖのＳＰ信号に含まれる雑音成分の信号を入力し、雑音成分の信号の雑音電力値を算出する。
【００９２】
加算器５７８は、電力算出部５７３−１，５７３−２から送信信号Ｓｈ，Ｓｖの雑音電力値をそれぞれ入力し、これらの雑音電力値を加算し、加算結果の雑音電力値をレベル補正係数生成部６に出力する。
【００９３】
通常、雑音電力値のレベル（熱雑音）は、全ての系統の受信アンテナ２において同じである。しかし、受信部４に備えたＡＧＣ機能により受信信号が増幅するに従って、雑音レベルも増幅して変化するから、電力算出部５７３−１，５７３−２により算出され加算器５７８により加算される雑音電力値は、系統間で異なるものとなる。したがって、加算器５７８により加算される雑音電力値は、受信部４に備えたＡＧＣ機能により受信信号が増幅される度合い（図１７に示した増幅度情報）に対応した値となる。
【００９４】
以上のように、実施例６のＯＦＤＭ復調部５−６を備えたダイバーシティ受信装置１−２によれば、ＯＦＤＭ復調部５−６は、送信信号Ｓｈと送信信号Ｓｖとの合成信号である復調信号を入力し、復調信号のサブキャリアから、送信信号Ｓｈに含まれるＳＰ信号と送信信号Ｓｖに含まれるＳＰ信号とを抽出し、これらのＳＰ信号から雑音成分の信号をそれぞれ抽出し、送信信号Ｓｈの系統の雑音電力値と送信信号Ｓｖの系統の雑音電力値とを算出し、これらを加算して各受信系統の雑音電力値を算出するようにした。また、レベル補正係数生成部６は、各受信系統の雑音電力値に基づいて各受信系統の重み係数を生成し、乗算器７は、各受信系統の復調信号に各受信系統の重み係数を乗算するようにした。これにより、受信アンテナ２にて受信した受信信号のレベルに対応した復調信号が生成される。したがって、ＯＦＤＭ復調部５−６において、各受信アンテナ２にて受信した受信信号のレベルまたは信号レベル差に関する増幅度情報に相当する情報を、重み係数として推定することができ、受信信号のＣＮＲが最大となる最大比合成法のダイバーシティ受信が可能となる。また、増幅度情報を受信部４から別配線にて送る必要がないから、簡易な構成により良質な受信信号を生成することが可能となる。
【００９５】
〔実施例７のＯＦＤＭ復調部〕
次に、実施例７のＯＦＤＭ復調部５について説明する。図９は、実施例７によるＯＦＤＭ復調部５の構成を示すブロック図である。このＯＦＤＭ復調部５−７は、Ａ／Ｄ変換部５１、直交復調部５２、ＡＦＣ部５３、ＧＩ除去部５４、ＦＦＴ部５５、周波数誤差検出部５６及び雑音レベル検出部５７−７を備えている。図８に示した実施例６のＯＦＤＭ復調部５−６と図９に示す実施例７のＯＦＤＭ復調部５−７とを比較すると、ＯＦＤＭ復調部５−６，５−７共に、Ａ／Ｄ変換部５１、直交復調部５２、ＡＦＣ部５３、ＧＩ除去部５４、ＦＦＴ部５５及び周波数誤差検出部５６を備えている点で同一である。一方、ＯＦＤＭ復調部５−７は、ＯＦＤＭ復調部５−６の雑音レベル検出部５７−６とは異なる雑音レベル検出部５７−７を備えている点で相違する。
【００９６】
ＯＦＤＭ復調部５−７のＡ／Ｄ変換部５１、直交復調部５２、ＡＦＣ部５３、ＧＩ除去部５４、ＦＦＴ部５５及び周波数誤差検出部５６は、図８に示した実施例６の各構成部と同様であるから、ここでは説明を省略する。
【００９７】
雑音レベル検出部５７−７は、ＳＰ抽出部５７１、２系統のシンボルフィルタ５７４−１，５７４−２、２系統のＢＰＦ５７２−１，５７２−２、２系統の電力算出部５７３−１，５７３−２及び加算器５７８を備えている。図８に示した実施例６の雑音レベル検出部５７−６と図９に示す実施例７の雑音レベル検出部５７−７とを比較すると、両雑音レベル検出部５７−６，５７−７共に、ＳＰ抽出部５７１、２系統のＢＰＦ５７２−１，５７２−２、２系統の電力算出部５７３−１，５７３−２及び加算器５７８を備えている点で同一である。一方、雑音レベル検出部５７−７は、雑音レベル検出部５７−６の構成部に加え、ＳＰ抽出部５７１と２系統のＢＰＦ５７２−１，５７２−２との間に２系統のシンボルフィルタ５７４−１，５７４−２をそれぞれ備えている点で相違する。
【００９８】
雑音レベル検出部５７−７のＳＰ抽出部５７１、２系統のＢＰＦ５７２−１，５７２−２、２系統の電力算出部５７３−１，５７３−２及び加算器５７８は、図８に示した実施例６の各構成部と同様であるから、ここでは説明を省略する。
【００９９】
雑音レベル検出部５７−７のシンボルフィルタ５７４−１は、ＳＰ抽出部５７１から送信信号ＳｈのＳＰ信号を入力し、シンボル方向にＳＰ信号を補間する。そして、ＢＰＦ５７２−１において、シンボルフィルタ５７４−１によりシンボル方向に補間された送信信号ＳｈのＳＰ信号から、周波数領域の雑音成分の信号が抽出され、電力算出部５７３−１において、送信信号Ｓｈの雑音電力値が算出される。
【０１００】
同様に、シンボルフィルタ５７４−２は、ＳＰ抽出部５７１から送信信号ＳｖのＳＰ信号を入力し、シンボル方向にＳＰ信号を補間する。そして、ＢＰＦ５７２−２において、シンボルフィルタ５７４−２によりシンボル方向に補間された送信信号ＳｖのＳＰ信号から、周波数領域の雑音成分の信号が抽出され、電力算出部５７３−２において、送信信号Ｓｖの雑音電力値が算出される。そして、加算器５７８において、これらの雑音電力値が加算され、当該受信系統における雑音電力値が算出される。
【０１０１】
以上のように、実施例７のＯＦＤＭ復調部５−７を備えたダイバーシティ受信装置１−２によれば、ＯＦＤＭ復調部５−７は、送信信号Ｓｈと送信信号Ｓｖとの合成信号である復調信号を入力し、復調信号のサブキャリアから、送信信号Ｓｈに含まれるＳＰ信号と送信信号Ｓｖに含まれるＳＰ信号とを抽出し、これらのＳＰ信号をシンボル方向にそれぞれ補間して雑音成分の信号をそれぞれ抽出し、送信信号Ｓｈの系統の雑音電力値と送信信号Ｓｖの系統の雑音電力値とを算出し、これらを加算して各受信系統の雑音電力値を算出するようにした。また、レベル補正係数生成部６は、各受信系統の雑音電力値に基づいて各受信系統の重み係数を生成し、乗算器７は、各受信系統の復調信号に各受信系統の重み係数を乗算するようにした。これにより、受信アンテナ２にて受信した受信信号のレベルに対応した復調信号が生成される。したがって、実施例６と同様に、増幅度情報を入出力する配線を不要にし、良質な受信信号を生成することが可能となる。
【０１０２】
また、ＯＦＤＭ復調部５−７における雑音レベル検出部５７−７のシンボルフィルタ５７４−１，５７４−２は、ＳＰ信号をシンボル方向にそれぞれ補間し、ＢＰＦ５７２−１，５７２−２は、シンボル方向に補間されたＳＰ信号から雑音成分の信号をそれぞれ抽出するようにした。これにより、ＢＰＦ５７２−１，５７２−２において折り返し歪み（エイリアシング）が減少し、急峻なフィルタ特性を緩和することができ、その結果、ＢＰＦ５７２−１，５７２−２のタップ係数を減らすことができる。したがって、一層簡易な構成により、良質な受信信号を生成することができる。
【０１０３】
〔実施例８のＯＦＤＭ復調部〕
次に、実施例８のＯＦＤＭ復調部５について説明する。図１０は、実施例８によるＯＦＤＭ復調部５の構成を示すブロック図である。このＯＦＤＭ復調部５−８は、Ａ／Ｄ変換部５１、直交復調部５２、ＡＦＣ部５３、ＧＩ除去部５４、ＦＦＴ部５５、周波数誤差検出部５６及び雑音レベル検出部５７−８を備えている。
【０１０４】
図８に示した実施例６のＯＦＤＭ復調部５−６と図１０に示す実施例８のＯＦＤＭ復調部５−８とを比較すると、ＯＦＤＭ復調部５−６，５−８共に、Ａ／Ｄ変換部５１、直交復調部５２、ＡＦＣ部５３、ＧＩ除去部５４、ＦＦＴ部５５及び周波数誤差検出部５６を備えている点で同一である。一方、ＯＦＤＭ復調部５−８は、ＯＦＤＭ復調部５−６の雑音レベル検出部５７−６とは異なる雑音レベル検出部５７−８を備えている点で相違する。
【０１０５】
ＯＦＤＭ復調部５−８のＡ／Ｄ変換部５１、直交復調部５２、ＡＦＣ部５３、ＧＩ除去部５４、ＦＦＴ部５５及び周波数誤差検出部５６は、図８に示した実施例６の各構成部と同様であるから、ここでは説明を省略する。
【０１０６】
雑音レベル検出部５７−８は、ＳＰ抽出部５７１、２系統のＬＰＦ５７５−１，５７５−２、２系統の減算器５７６−１，５７６−２、２系統の電力算出部５７３−１，５７３−２及び加算器５７８を備えている。図８に示した実施例６の雑音レベル検出部５７−６と図１０に示す実施例８の雑音レベル検出部５７−８とを比較すると、両雑音レベル検出部５７−６，５７−８共に、ＳＰ抽出部５７１、２系統の電力算出部５７３−１，５７３−２及び加算器５７８を備えている点で同一である。一方、雑音レベル検出部５７−８は、雑音レベル検出部５７−６のＢＰＦ５７２−１，５７２−２に代えて、２系統のＬＰＦ５７５−１，５７５−２及び２系統の減算器５７６−１，５７６−２を備えている点で相違する。
【０１０７】
雑音レベル検出部５７−８のＳＰ抽出部５７１、電力算出部５７３−１，５７３−２及び加算器５７８は、図８に示した実施例６の各構成部と同様であるから、ここでは説明を省略する。
【０１０８】
雑音レベル検出部５７−８のＬＰＦ５７５−１は、ＳＰ抽出部５７１から送信信号ＳｈのＳＰ信号を入力し、入力したＳＰ信号から雑音成分を除去し、ＳＰ信号の主信号成分を抽出する。減算器５７６−１は、ＳＰ抽出部５７１から送信信号ＳｈのＳＰ信号を入力すると共に、ＬＰＦ５７５−１からＳＰ信号の主信号成分を入力し、ＳＰ抽出部５７１により抽出された送信信号ＳｈのＳＰ信号から、ＬＰＦ５７５−１により抽出されたＳＰ信号の主信号成分を減算して除去し、雑音成分の信号を抽出する。そして、電力算出部５７３−１において、減算器５７６−１により抽出された雑音成分の信号から、送信信号Ｓｈの雑音電力値が算出される。
【０１０９】
同様に、ＬＰＦ５７５−２は、ＳＰ抽出部５７１から送信信号ＳｖのＳＰ信号を入力し、入力したＳＰ信号から雑音成分を除去し、ＳＰ信号の主信号成分を抽出する。減算器５７６−２は、ＳＰ抽出部５７１から送信信号ＳｖのＳＰ信号を入力すると共に、ＬＰＦ５７５−２からＳＰ信号の主信号成分を入力し、ＳＰ抽出部５７１により抽出された送信信号ＳｖのＳＰ信号から、ＬＰＦ５７５−２により抽出されたＳＰ信号の主信号成分を減算して除去し、雑音成分の信号を抽出する。そして、電力算出部５７３−２において、減算器５７６−２により抽出された雑音成分の信号から、送信信号Ｓｖの雑音電力値が算出される。そして、加算器５７８において、これらの雑音電力値が加算され、当該受信系統における雑音電力値が算出される。
【０１１０】
以上のように、実施例８のＯＦＤＭ復調部５−８を備えたダイバーシティ受信装置１−２によれば、ＯＦＤＭ復調部５−８は、送信信号Ｓｈと送信信号Ｓｖとの合成信号である復調信号を入力し、復調信号のサブキャリアから、送信信号Ｓｈに含まれるＳＰ信号と送信信号Ｓｖに含まれるＳＰ信号とを抽出し、ＳＰ信号から主信号成分を除去して雑音成分の信号をそれぞれ抽出し、送信信号Ｓｈの系統の雑音電力値と送信信号Ｓｖの系統の雑音電力値とを算出し、これらを加算して各受信系統の雑音電力値を算出するようにした。また、レベル補正係数生成部６は、各受信系統の雑音電力値に基づいて各受信系統の重み係数を生成し、乗算器７は、各受信系統の復調信号に各受信系統の重み係数を乗算するようにした。これにより、受信アンテナ２にて受信した受信信号のレベルに対応した復調信号が生成される。したがって、実施例６，７と同様に、増幅度情報を入出力する配線を不要にし、良質な受信信号を生成することが可能となる。
【０１１１】
〔実施例９のＯＦＤＭ復調部〕
次に、実施例９のＯＦＤＭ復調部５について説明する。図１１は、実施例９によるＯＦＤＭ復調部５の構成を示すブロック図である。このＯＦＤＭ復調部５−９は、Ａ／Ｄ変換部５１、直交復調部５２、ＡＦＣ部５３、ＧＩ除去部５４、ＦＦＴ部５５、周波数誤差検出部５６及び雑音レベル検出部５７−９を備えている。図１０に示した実施例８のＯＦＤＭ復調部５−８と図１１に示す実施例９のＯＦＤＭ復調部５−９とを比較すると、ＯＦＤＭ復調部５−８，５−９共に、Ａ／Ｄ変換部５１、直交復調部５２、ＡＦＣ部５３、ＧＩ除去部５４、ＦＦＴ部５５及び周波数誤差検出部５６を備えている点で同一である。一方、ＯＦＤＭ復調部５−９は、ＯＦＤＭ復調部５−８の雑音レベル検出部５７−８とは異なる雑音レベル検出部５７−９を備えている点で相違する。
【０１１２】
ＯＦＤＭ復調部５−９のＡ／Ｄ変換部５１、直交復調部５２、ＡＦＣ部５３、ＧＩ除去部５４、ＦＦＴ部５５及び周波数誤差検出部５６は、図１０に示した実施例８の各構成部と同様であるから、ここでは説明を省略する。
【０１１３】
雑音レベル検出部５７−９は、ＳＰ抽出部５７１、２系統のシンボルフィルタ５７４−１，５７４−２、２系統のＬＰＦ５７５−１，５７５−２、２系統の減算器５７６−１，５７６−２、２系統の電力算出部５７３−１，５７３−２及び加算器５７８を備えている。図１０に示した実施例８の雑音レベル検出部５７−８と図１１に示す実施例９の雑音レベル検出部５７−９とを比較すると、両雑音レベル検出部５７−８，５７−９共に、ＳＰ抽出部５７１、２系統のＬＰＦ５７５−１，５７５−２、２系統の減算器５７６−１，５７６−２、２系統の電力算出部５７３−１，５７３−２及び加算器５７８を備えている点で同一である。一方、雑音レベル検出部５７−９は、雑音レベル検出部５７−８の構成部に加え、ＳＰ抽出部５７１と２系統のＬＰＦ５７５−１，５７５−２及び２系統の減算器５７６−１，５７６−２との間にシンボルフィルタ５７４−１，５７４−２を備えている点で相違する。
【０１１４】
雑音レベル検出部５７−９のＳＰ抽出部５７１、２系統のＬＰＦ５７５−１，５７５−２、２系統の減算器５７６−１，５７６−２、２系統の電力算出部５７３−１，５７３−２及び加算器５７８は、図１０に示した実施例８の各構成部と同様であるから、ここでは説明を省略する。
【０１１５】
雑音レベル検出部５７−９のシンボルフィルタ５７４−１は、ＳＰ抽出部５７１から送信信号ＳｈのＳＰ信号を入力し、シンボル方向にＳＰ信号を補間する。そして、ＬＰＦ５７５−１において、シンボルフィルタ５７４−１によりシンボル方向に補間された送信信号ＳｈのＳＰ信号から主信号成分が抽出され、減算器５７６−１において、シンボルフィルタ５７４−１によりシンボル方向に補間された送信信号ＳｈのＳＰ信号から主信号成分が除去される。そして、電力算出部５７３−１において、雑音成分の信号から送信信号Ｓｈの雑音電力値が算出される。
【０１１６】
同様に、シンボルフィルタ５７４−２は、ＳＰ抽出部５７１から送信信号ＳｖのＳＰ信号を入力し、シンボル方向にＳＰ信号を補間する。そして、ＬＰＦ５７５−２において、シンボルフィルタ５７４−２によりシンボル方向に補間された送信信号ＳｖのＳＰ信号から主信号成分が抽出され、減算器５７６−２において、シンボルフィルタ５７４−２によりシンボル方向に補間された送信信号ＳｖのＳＰ信号から主信号成分が除去される。そして、電力算出部５７３−２において、雑音成分の信号から送信信号Ｓｖの雑音電力値が算出される。そして、加算器５７８において、これらの雑音電力値が加算され、当該受信系統における雑音電力値が算出される。
【０１１７】
以上のように、実施例９のＯＦＤＭ復調部５−９を備えたダイバーシティ受信装置１−２によれば、ＯＦＤＭ復調部５−９は、送信信号Ｓｈと送信信号Ｓｖとの合成信号である復調信号を入力し、復調信号のサブキャリアから、送信信号Ｓｈに含まれるＳＰ信号と送信信号Ｓｖに含まれるＳＰ信号とを抽出し、ＳＰ信号をシンボル方向に補間して主信号成分をそれぞれ抽出し、シンボル方向に補間したＳＰ信号から主信号成分を除去して雑音成分の信号をそれぞれ抽出し、送信信号Ｓｈの系統の雑音電力値と送信信号Ｓｖの系統の雑音電力値とを算出し、これらを加算して各受信系統の雑音電力値を算出するようにした。また、レベル補正係数生成部６は、各受信系統の雑音電力値に基づいて各受信系統の重み係数を生成し、乗算器７は、各受信系統の復調信号に各受信系統の重み係数を乗算するようにした。これにより、受信アンテナ２にて受信した受信信号のレベルに対応した復調信号が生成される。したがって、実施例６〜８と同様に、増幅度情報を入出力する配線を不要にし、良質な受信信号を生成することが可能となる。
【０１１８】
また、ＯＦＤＭ復調部５−９における雑音レベル検出部５７−９のシンボルフィルタ５７４−１，５７４−２は、ＳＰ信号をシンボル方向にそれぞれ補間し、ＬＰＦ５７５−１，５７５−２は、シンボル方向に補間されたＳＰ信号から主信号成分をそれぞれ抽出し、減算器５７６−１，５７６−２は、シンボル方向に補間されたＳＰ信号から主信号成分を除去し、雑音成分の信号をそれぞれ抽出するようにした。これにより、ＬＰＦ５７５−１，５７５−２において折り返し歪み（エイリアシング）が減少し、急峻なフィルタ特性を緩和することができ、その結果、ＬＰＦ５７５−１，５７５−２のタップ係数を減らすことができる。したがって、一層簡易な構成により、良質な受信信号を生成することができる。
【０１１９】
〔実施例１０のＯＦＤＭ復調部〕
次に、実施例１０のＯＦＤＭ復調部５について説明する。図１２は、実施例１０によるＯＦＤＭ復調部５の構成を示すブロック図である。このＯＦＤＭ復調部５−１０は、Ａ／Ｄ変換部５１、直交復調部５２、ＡＦＣ部５３、ＧＩ除去部５４、ＦＦＴ部５５、周波数誤差検出部５６及び雑音レベル検出部５７−１０を備えている。図９に示した実施例７のＯＦＤＭ復調部５−７と図１２に示す実施例１０のＯＦＤＭ復調部５−１０とを比較すると、ＯＦＤＭ復調部５−７，５−１０共に、Ａ／Ｄ変換部５１、直交復調部５２、ＡＦＣ部５３、ＧＩ除去部５４、ＦＦＴ部５５及び周波数誤差検出部５６を備えている点で同一である。一方、ＯＦＤＭ復調部５−１０は、ＯＦＤＭ復調部５−７の雑音レベル検出部５７−７とは異なる雑音レベル検出部５７−１０を備えている点で相違する。
【０１２０】
ＯＦＤＭ復調部５−１０のＡ／Ｄ変換部５１、直交復調部５２、ＡＦＣ部５３、ＧＩ除去部５４、ＦＦＴ部５５及び周波数誤差検出部５６は、図９に示した実施例７の各構成部と同様であるから、ここでは説明を省略する。
【０１２１】
雑音レベル検出部５７−１０は、ＳＰ抽出部５７１、２系統のシンボルフィルタ５７４−１，５７４−２、２系統のＩＦＦＴ部５７７−１，５７７−２、２系統のＢＰＦ５７９−１，５７９−２、２系統の電力算出部５７３−１，５７３−２及び加算器５７８を備えている。図９に示した実施例７の雑音レベル検出部５７−７と図１２に示す実施例１０の雑音レベル検出部５７−１０とを比較すると、両雑音レベル検出部５７−７，５７−１０共に、ＳＰ抽出部５７１、２系統のシンボルフィルタ５７４−１，５７４−２、２系統の電力算出部５７３−１，５７３−２及び加算器５７８を備えている点で同一である。一方、雑音レベル検出部５７−１０は、雑音レベル検出部５７−７のＢＰＦ５７２−１，５７２−２とは異なるＢＰＦ５７９−１，５７９−２を備えており、２系統のシンボルフィルタ５７４−１，５７４−２と２系統のＢＰＦ５７９−１，５７９−２との間に２系統のＩＦＦＴ部５７７−１，５７７−２を備えている点で相違する。
【０１２２】
雑音レベル検出部５７−１０のＳＰ抽出部５７１、２系統のシンボルフィルタ５７４−１，５７４−２、２系統の電力算出部５７３−１，５７３−２及び加算器５７８は、図９に示した実施例７の各構成部と同様であるから、ここでは説明を省略する。
【０１２３】
雑音レベル検出部５７−１０のＩＦＦＴ部５７７−１は、シンボルフィルタ５７４−１からシンボル方向に補間された送信信号ＳｈのＳＰ信号を入力し、シンボル方向に補間された送信信号ＳｈのＳＰ信号にＩＦＦＴ処理を施し、送信信号Ｓｈの系統における遅延プロファイルを生成する。
【０１２４】
ＢＰＦ５７９−１は、ＩＦＦＴ部５７７−１から送信信号Ｓｈの系統における遅延プロファイルを入力し、入力した遅延プロファイルから時間領域の雑音成分の信号を抽出する。そして、電力算出部５７３−１において、雑音成分の信号から送信信号Ｓｈの雑音電力値が算出される。
【０１２５】
同様に、ＩＦＦＴ部５７７−２は、シンボルフィルタ５７４−２からシンボル方向に補間された送信信号ＳｖのＳＰ信号を入力し、シンボル方向に補間された送信信号ＳｖのＳＰ信号にＩＦＦＴ処理を施し、送信信号Ｓｖの系統における遅延プロファイルを生成する。
【０１２６】
また、ＢＰＦ５７９−２は、ＩＦＦＴ部５７７−２から送信信号Ｓｖの系統における遅延プロファイルを入力し、入力した遅延プロファイルから時間領域の雑音成分の信号を抽出する。そして、電力算出部５７３−２において、雑音成分の信号から送信信号Ｓｖの雑音電力値が算出される。そして、加算器５７８において、これらの雑音電力値が加算され、当該受信系統における雑音電力値が算出される。
【０１２７】
通常、雑音電力値のレベル（熱雑音）は、全ての受信系統の受信アンテナ２において同じである。しかし、受信部４に備えたＡＧＣ機能により受信信号が増幅するに従って、雑音レベルも増幅して変化するから、電力算出部５７３−１，５７３−２により算出され加算器５７８により加算される雑音電力値は、受信系統間で異なるものとなる。したがって、加算器５７８により加算される雑音電力値は、受信部４に備えたＡＧＣ機能により受信信号が増幅される度合い（図１７に示した増幅度情報）に対応した値となる。
【０１２８】
以上のように、実施例１０のＯＦＤＭ復調部５−１０を備えたダイバーシティ受信装置１−２によれば、ＯＦＤＭ復調部５−１０は、送信信号Ｓｈと送信信号Ｓｖとの合成信号である復調信号を入力し、復調信号のサブキャリアから、送信信号Ｓｈに含まれるＳＰ信号と送信信号Ｓｖに含まれるＳＰ信号とを抽出し、ＳＰ信号をシンボル方向に補間し、ＩＦＦＴ処理を施して遅延プロファイルをそれぞれ生成し、遅延プロファイルから雑音成分の信号を抽出し、送信信号Ｓｈの系統の雑音電力値と送信信号Ｓｖの系統の雑音電力値とを算出し、これらを加算して各受信系統の雑音電力値を算出するようにした。また、レベル補正係数生成部６は、各受信系統の雑音電力値に基づいて各受信系統の重み係数を生成し、乗算器７は、各受信系統の復調信号に各受信系統の重み係数を乗算するようにした。これにより、受信アンテナ２にて受信した受信信号のレベルに対応した復調信号が生成される。したがって、実施例６〜９と同様に、増幅度情報を入出力する配線を不要にし、良質な受信信号を生成することが可能となる。
【０１２９】
また、ＯＦＤＭ復調部５−１０における雑音レベル検出部５７−１０のシンボルフィルタ５７４−１，５７４−２は、ＳＰ信号をシンボル方向にそれぞれ補間し、ＩＦＦＴ部５７７−１，５７７−２は、シンボル方向に補間されたＳＰ信号にＩＦＦＴ処理を施して遅延プロファイルをそれぞれ生成し、ＢＰＦ５７９−１，５７９−２は、シンボル方向に補間されたＳＰ信号から雑音成分の信号をそれぞれ抽出するようにした。これにより、ＢＰＦ５７９−１，５７９−２において折り返し歪み（エイリアシング）が減少し、急峻なフィルタ特性を緩和することができ、その結果、ＢＰＦ５７９−１，５７９−２のタップ係数を減らすことができる。したがって、一層簡易な構成により、良質な受信信号を生成することができる。
【０１３０】
尚、図１２に示した実施例１０のＯＦＤＭ復調部５−１０の雑音レベル検出部５７−１０は、ＳＰ抽出部５７１と２系統のＩＦＦＴ部５７７−１，５７７−２との間に２系統のシンボルフィルタ５７４−１，５７４−２を備えるようにしたが、シンボルフィルタ５７４−１，５７４−２を備えないようにしてもよい。
【０１３１】
以上、実施例を挙げて本発明を説明したが、本発明は前記実施例に限定されるものではなく、その技術思想を逸脱しない範囲で種々変形可能である。例えば、図１では、ダイバーシティ受信装置１−１の受信系統の数を４として説明したが、本発明は受信系統の数を４に限定するものではなく、複数であればよい。また、図７では、送信機の送信系統の数を２とし、ダイバーシティ受信装置１−２の受信系統の数を４として説明したが、本発明は送信系統及び受信系統の数をこれらの数に限定するものではなく、複数であればよい。
【０１３２】
また、実施例１〜１０では、所定位置のＳＰ信号を抽出して雑音電力値を算出するようにしたが、ＳＰ信号以外の所定位置のパイロット信号等を抽出して雑音電力値を算出するようにしてもよい。
【符号の説明】
【０１３３】
１，１０１  ダイバーシティ受信装置
２，１０２  受信アンテナ
３，１０３，１１４，５７２，５７９  ＢＰＦ
４，１０４  受信部
５，１０５  ＯＦＤＭ復調部
６  レベル補正係数生成部（重み係数生成部）
７  乗算器
８，１０８  信号合成部
９  ＭＩＭＯ分離及び等化部
５１  Ａ／Ｄ変換部
５２  直交復調部
５３  ＡＦＣ部
５４  ＧＩ除去部
５５  ＦＦＴ部
５６  周波数誤差検出部
５７  雑音レベル検出部
１１０  ＲＦ増幅器
１１１  レベル検出器
１１２  局部発振器
１１３  ミキサ
１１５  ＩＦ増幅器
５７１  ＳＰ抽出部
５７３  電力算出部
５７４  シンボルフィルタ
５７５  ＬＰＦ
５７６  減算器
５７７  ＩＦＦＴ部
５７８  加算器
【図１】
0005878798.tif 000007
【図２】
0005878798.tif 000008
【図３】
0005878798.tif 000009
【図４】
0005878798.tif 000010
【図５】
0005878798.tif 000011
【図６】
0005878798.tif 000012
【図７】
0005878798.tif 000013
【図８】
0005878798.tif 000014
【図９】
0005878798.tif 000015
【図１０】
0005878798.tif 000016
【図１１】
0005878798.tif 000017
【図１２】
0005878798.tif 000018
【図１３】
0005878798.tif 000019
【図１４】
0005878798.tif 000020
【図１５】
0005878798.tif 000021
【図１６】
0005878798.tif 000022
【図１７】
0005878798.tif 000023